(57)【特許請求の範囲】
【請求項１】
投入された貨幣を繰り出す投入手段と、
該投入手段から繰り出された貨幣を識別する入金識別手段と、
該入金識別手段で正常と識別された貨幣を金種別に振り分ける振分手段と、
該振分手段で振り分けられた貨幣を繰り出し可能に収納する金種別の環流手段と、
該金種別の環流手段から繰り出された貨幣を払い出す払出手段と、
前記金種別の環流手段から繰り出された貨幣を収納する収納手段と、
貨幣の取引操作の入力がなされる操作手段と、
を有する貨幣処理機であって、
前記操作手段に売上金回収操作が入力されると、前記金種別の環流手段から前記収納手段へ売上金に対する不足分の貨幣を収納して、該収納手段内の貨幣を売上金として確定する売上金確定手段と、
最大額面貨幣の額面金額から最小額面貨幣の額面金額を減算した金額を前記金種別の環流手段から繰り出させるのに必要な所定の金種別の確保値を記憶する確保値記憶手段と、
前記売上金回収操作以外の前記金種別の環流手段から貨幣を繰り出す繰出関連操作が前記操作手段に入力されると、前記金種別の環流手段のそれぞれの在高値から金種別の繰出指示値を減算した金種別の残存予定値と、前記金種別の確保値とを比較し、前記残存予定値が前記確保値を下回る金種がある場合には、少なくとも当該下回る金種の貨幣の前記環流手段からの繰り出しを規制する繰出規制手段と、
を備えたことを特徴とする貨幣処理機。
【請求項２】
前記入金識別手段で正常と識別された貨幣を振り分ける第２の振分手段と、
該第２の振分手段で振り分けられた貨幣を返却可能に一時貯留するとともに一時貯留した貨幣を前記収納手段に収納可能な一時貯留手段と、
前記入金識別手段で正常と識別された貨幣のうち前記金種別の環流手段に収納しない非環流の貨幣を、前記第２の振分手段で振り分けて、前記一時貯留手段に貯留させる振分制御手段と、
を備えたことを特徴とする請求項１記載の貨幣処理機。
【請求項３】
前記最大額面貨幣の額面金額が１万円であり、前記最小額面貨幣の額面金額が１円である場合に、
前記金種別の確保値は、
５千円貨幣が１枚、千円貨幣が４枚、５００円貨幣が１枚、１００円貨幣が４枚、５０円貨幣が１枚、１０円貨幣が４枚、５円貨幣が１枚および１円貨幣が４枚からなり、
または、千円貨幣が９枚、５００円貨幣が１枚、１００円貨幣が４枚、５０円貨幣が１枚、１０円貨幣が４枚、５円貨幣が１枚および１円貨幣が４枚からなることを特徴とする請求項１または２記載の貨幣処理機。
【請求項４】
前記繰出規制手段が貨幣の前記環流手段からの繰り出しを規制した場合に、その旨を報知する規制報知手段を備えたことを特徴とする請求項１乃至３のいずれか一項記載の貨幣処理機。
【請求項５】
入力された担当者識別情報に基づいて取引操作を許諾する許諾手段と、
該許諾手段が許諾した一の担当者識別情報に関連して所定の払出金額の貨幣を前記金種別の環流手段から前記払出手段に払い出す払出処理時に、前記繰出規制手段により貨幣の繰り出しが規制されると、当該規制により前記所定の払出金額に対して不足した払出不足金額を前記一の担当者識別情報に関連付けて記憶する払出不足金額記憶手段と、
前記払出不足金額が発生した場合に報知を行う払出不足報知手段と、
を備えたことを特徴とする請求項１乃至４のいずれか一項記載の貨幣処理機。
【請求項６】
前記払出不足報知手段は、前記払出不足金額が発生した場合、該払出不足金額を後で精算可能な旨を報知することになり、
入力された担当者識別情報に関連付けて前記払出不足金額が前記払出不足金額記憶手段に記憶されているか否かを確認する参照手段と、
該参照手段の確認結果から前記払出不足金額が前記払出不足金額記憶手段に記憶されていた場合、前記払出不足金額の精算対象者である旨の案内を行う案内手段と、
前記払出不足金額の精算を行うか否かの入力を受け付ける確認手段と、
該確認手段が前記払出不足金額の精算を行う旨の入力を受け付けると、前記払出不足金額を精算する精算手段と、
を備えたことを特徴とする請求項５記載の貨幣処理機。
【請求項７】
前記払出不足金額が発生した場合、該払出不足金額と前記一の担当者識別情報とを印字発行する発行手段を備えたことを特徴とする請求項５または６記載の貨幣処理機。
【請求項８】
個々の担当者識別情報毎に、前記払出不足金額を集計する集計手段を備えたことを特徴とする請求項５乃至７のいずれか一項記載の貨幣処理機。
【請求項９】
担当者識別情報が入力されると当該担当者識別情報に関連する前記集計手段の集計結果を照会可能とし、管理者識別情報が入力されると全ての担当者識別情報に関連する前記集計手段の集計結果を照会可能とする照会手段を備えたことを特徴とする請求項８記載の貨幣処理機。
【発明の詳細な説明】
【技術分野】
【０００１】
本発明は、貨幣を入出金可能な貨幣処理機に関する。
【背景技術】
【０００２】
現金管理装置において、店舗の営業に必要な釣銭準備金を確実に供給できるようにして店員や店長の負担を軽減できるようにしたものがある（例えば、特許文献１参照）。この現金管理装置は、現金を投入する現金入金口と、釣銭のための現金を収納する釣銭収納庫と、売上金を収納する現金金庫とを備え、現金入金口にレジスタから回収した現金を投入したときに、現金金庫へは売上金を収納することを可能とし、また釣銭収納庫へは売上金を超えた現金を収納して釣銭を循環使用するようになっている。
【先行技術文献】
【特許文献】
【０００３】
【特許文献１】特開２００６−１５５３２６号公報
【発明の概要】
【発明が解決しようとする課題】
【０００４】
ところで、貨幣処理機においては、現金の管理上の観点から、少ない貨幣を極力有効利用する必要があり、このため、入金された貨幣を出金可能な環流手段に収納して出金用として環流使用するようになっている。一方で、回収作業を容易とするために、貨幣処理機において入金された売上金を収納手段に収納し、収納手段ごと回収することが行われている。そして、これらを両立するため、通常は入金された貨幣を環流手段に収納し、売上金の回収時に、環流手段に収納していた貨幣のうちの売上金相当分を収納手段に収納することが考えられるが、環流手段に収納している貨幣の量によっては、売上金相当分を収納手段に収納することができない可能性がある。
【０００５】
したがって、本発明は、売上金の回収時に売上金相当分を収納手段に確実に収納することができる貨幣処理機の提供を目的とする。
【課題を解決するための手段】
【０００６】
上記目的を達成するために、請求項１に係る発明は、投入された貨幣を繰り出す投入手段と、該投入手段から繰り出された貨幣を識別する入金識別手段と、該入金識別手段で正常と識別された貨幣を金種別に振り分ける振分手段と、該振分手段で振り分けられた貨幣を繰り出し可能に収納する金種別の環流手段と、該金種別の環流手段から繰り出された貨幣を払い出す払出手段と、前記金種別の環流手段から繰り出された貨幣を収納する収納手段と、貨幣の取引操作の入力がなされる操作手段と、を有する貨幣処理機であって、前記操作手段に売上金回収操作が入力されると、前記金種別の環流手段から前記収納手段へ売上金に対する不足分の貨幣を収納して、該収納手段内の貨幣を売上金として確定する売上金確定手段と、最大額面貨幣の額面金額から最小額面貨幣の額面金額を減算した金額を前記金種別の環流手段から繰り出させるのに必要な所定の金種別の確保値を記憶する確保値記憶手段と、前記売上金回収操作以外の前記金種別の環流手段から貨幣を繰り出す繰出関連操作が前記操作手段に入力されると、前記金種別の環流手段のそれぞれの在高値から金種別の繰出指示値を減算した金種別の残存予定値と、前記金種別の確保値とを比較し、前記残存予定値が前記確保値を下回る金種がある場合には、少なくとも当該下回る金種の貨幣の前記環流手段からの繰り出しを規制する繰出規制手段と、を備えたことを特徴とする。
【０００７】
請求項２に係る発明は、請求項１に係る発明において、前記入金識別手段で正常と識別された貨幣を振り分ける第２の振分手段と、該第２の振分手段で振り分けられた貨幣を返却可能に一時貯留するとともに一時貯留した貨幣を前記収納手段に収納可能な一時貯留手段と、前記入金識別手段で正常と識別された貨幣のうち前記金種別の環流手段に収納しない非環流の貨幣を、前記第２の振分手段で振り分けて、前記一時貯留手段に貯留させる振分制御手段と、を備えたことを特徴とする。
【０００８】
請求項３に係る発明は、請求項１または２に係る発明において、前記最大額面貨幣の額面金額が１万円であり、前記最小額面貨幣の額面金額が１円である場合に、前記金種別の確保値は、５千円貨幣が１枚、千円貨幣が４枚、５００円貨幣が１枚、１００円貨幣が４枚、５０円貨幣が１枚、１０円貨幣が４枚、５円貨幣が１枚および１円貨幣が４枚からなり、または、千円貨幣が９枚、５００円貨幣が１枚、１００円貨幣が４枚、５０円貨幣が１枚、１０円貨幣が４枚、５円貨幣が１枚および１円貨幣が４枚からなることを特徴とする。
【０００９】
請求項４に係る発明は、請求項１乃至３のいずれか一項に係る発明において、前記繰出規制手段が貨幣の前記環流手段からの繰り出しを規制した場合に、その旨を報知する規制報知手段を備えたことを特徴とする。
【００１０】
請求項５に係る発明は、請求項１乃至４のいずれか一項に係る発明において、入力された担当者識別情報に基づいて取引操作を許諾する許諾手段と、該許諾手段が許諾した一の担当者識別情報に関連して所定の払出金額の貨幣を前記金種別の環流手段から前記払出手段に払い出す払出処理時に、前記繰出規制手段により貨幣の繰り出しが規制されると、当該規制により前記所定の払出金額に対して不足した払出不足金額を前記一の担当者識別情報に関連付けて記憶する払出不足金額記憶手段と、前記払出不足金額が発生した場合に報知を行う払出不足報知手段と、を備えたことを特徴とする。
【００１１】
請求項６に係る発明は、請求項５に係る発明において、前記払出不足報知手段は、前記払出不足金額が発生した場合、該払出不足金額を後で精算可能な旨を報知することになり、入力された担当者識別情報に関連付けて前記払出不足金額が前記払出不足金額記憶手段に記憶されているか否かを確認する参照手段と、該参照手段の確認結果から前記払出不足金額が前記払出不足金額記憶手段に記憶されていた場合、前記払出不足金額の精算対象者である旨の案内を行う案内手段と、前記払出不足金額の精算を行うか否かの入力を受け付ける確認手段と、該確認手段が前記払出不足金額の精算を行う旨の入力を受け付けると、前記払出不足金額を精算する精算手段と、を備えたことを特徴とする。
【００１２】
請求項７に係る発明は、請求項５または６に係る発明において、前記払出不足金額が発生した場合、該払出不足金額と前記一の担当者識別情報とを印字発行する発行手段を備えたことを特徴とする。
【００１３】
請求項８に係る発明は、請求項５乃至７のいずれか一項に係る発明において、個々の担当者識別情報毎に、前記払出不足金額を集計する集計手段を備えたことを特徴とする。
【００１４】
請求項９に係る発明は、請求項８に係る発明において、担当者識別情報が入力されると当該担当者識別情報に関連する前記集計手段の集計結果を照会可能とし、管理者識別情報が入力されると全ての担当者識別情報に関連する前記集計手段の集計結果を照会可能とする照会手段を備えたことを特徴とする。
【発明の効果】
【００１５】
請求項１に係る発明によれば、操作手段に売上金回収操作が入力されると、売上金確定手段が、金種別の環流手段から収納手段へ売上金に対する不足分の貨幣を収納して、収納手段内の貨幣を売上金として確定することになるが、この売上金回収操作以外の、金種別の環流手段から貨幣を繰り出す繰出関連操作が操作手段に入力されると、繰出規制手段が、金種別の環流手段のそれぞれの在高値から金種別の繰出指示値を減算した金種別の残存予定値と、最大額面貨幣の額面金額から最小額面貨幣の額面金額を減算した金額を金種別の環流手段から繰り出させるのに必要な所定の金種別の確保値とを比較し、残存予定値が確保値を下回る金種がある場合には、少なくとも当該下回る金種の貨幣の環流手段からの繰り出しを規制する。よって、金種別の環流手段に金種別の確保値を確保できるため、売上金の回収時に、売上金相当分を収納手段に収納することができない状況が生じるのを抑制できる。したがって、売上金の回収時に売上金相当分を収納手段に確実に収納することができる。
【００１６】
請求項２に係る発明によれば、振分制御手段が、入金識別手段で正常と識別された貨幣を、貨幣を返却可能に一時貯留するとともに一時貯留した貨幣を収納手段に収納可能な一時貯留手段に第２の振分手段で振り分けることができるため、入金識別手段で正常と識別された貨幣のうち金種別の環流手段に収納しない非環流の貨幣を別途の一時貯留手段に貯留させることができる。したがって、オーバーフロー貨幣が発生することによる停止等を抑制することができる。
【００１７】
請求項３に係る発明によれば、最大額面貨幣の額面金額が１万円であり、最小額面貨幣の額面金額が１円である場合に、金種別の確保値は、５千円貨幣が１枚、千円貨幣が４枚、５００円貨幣が１枚、１００円貨幣が４枚、５０円貨幣が１枚、１０円貨幣が４枚、５円貨幣が１枚および１円貨幣が４枚からなり、または、千円貨幣が９枚、５００円貨幣が１枚、１００円貨幣が４枚、５０円貨幣が１枚、１０円貨幣が４枚、５円貨幣が１枚および１円貨幣が４枚からなるため、金種別の確保値分の貨幣の確保が容易となる。
【００１８】
請求項４に係る発明によれば、繰出規制手段が貨幣の環流手段からの繰り出しを規制した場合に、その旨を規制報知手段が報知するため、ジャム等の繰り出し異常ではなく、繰り出しを規制したことを操作者に知らせることができる。
【００１９】
請求項５に係る発明によれば、一の担当者識別情報に関連して所定の払出金額の貨幣を金種別の環流手段から払出手段に払い出す払出処理時に、繰出規制手段が貨幣の環流手段からの繰り出しを規制することで、所定の払出金額に対して、払出不足金額が発生した場合に、記憶手段が、この払出不足金額を前記一の担当者識別情報に関連付けて記憶することになる。よって、記憶手段から読み出すことによって、対応する担当者識別情報の担当者に、払出不足金額を後で精算可能となるため、担当者は、環流手段への貨幣の補充等を待たずに、払出手段に払い出された貨幣を受け取って、その場を離れることができる。したがって、担当者は、次の作業に移ることができ、作業効率が向上する。また、払出不足金額が発生した場合に報知手段が報知を行うため、担当者は、貨幣処理機側で払出不足金額の発生を認識していることを確認できることになり、安心してその場を離れることができる。
【００２０】
請求項６に係る発明によれば、払出不足金額が発生した場合に、この払出不足金額を後で精算可能な旨を報知手段が報知することになるため、担当者が、不慣れであっても、安心してその場を離れることができる。そして、環流手段の貨幣不足が解消された状態で、担当者識別情報を入力すると、参照手段が、入力された担当者識別情報に関連付けて払出不足金額が記憶手段に記憶されているか否かを確認することになり、払出不足金額が記憶手段に記憶されていた場合、案内手段が払出不足金額の精算対象者である旨の案内を行って、確認手段が、払出不足金額の精算を行うか否かの入力を受け付けることになる。そして、確認手段が払出不足金額の精算を行う旨の入力を受け付けると、精算手段が払出不足金額を精算する。よって、適正に、対応する担当者識別情報の担当者に、払出不足金額を精算することができる。
【００２１】
請求項７に係る発明によれば、払出不足金額が発生した場合、払出不足金額とこれに関連する担当者識別情報とを発行手段が印字発行するため、担当者は、より一層安心してその場を離れることができる。
【００２２】
請求項８に係る発明によれば、集計手段が、個々の担当者識別情報毎に払出不足金額を集計するため、個々の担当者識別情報毎に払出不足金額の集計値を照会可能となる。
【００２３】
請求項９に係る発明によれば、照会手段は、担当者識別情報が入力されると当該担当者識別情報に関連する集計手段の集計結果を照会可能とし、管理者識別情報が入力されると全ての担当者識別情報に関連する集計手段の集計結果を照会可能とするため、担当者レベルおよび管理者レベルでの照会内容を切り換えることができる。
【図面の簡単な説明】
【００２４】
【図１】本発明に係る一実施形態の貨幣処理機を構成する貨幣処理機の硬貨入出金装置部を概略的に示す側断面図である。
【図２】本発明に係る一実施形態の貨幣処理機を構成する貨幣処理機の硬貨入出金装置部を概略的に示す平断面図である。
【図３】本発明に係る一実施形態の貨幣処理機を構成する貨幣処理機の硬貨入出金装置部を概略的に示す平断面図である。
【図４】本発明に係る一実施形態の貨幣処理機を示す制御系ブロック図である。
【図５】本発明に係る一実施形態の貨幣処理機を構成する貨幣処理機の紙幣入出金装置部を概略的に示す側断面図である。
【図６】本発明に係る一実施形態の貨幣処理機を示す制御系ブロック図である。
【発明を実施するための形態】
【００２５】
本発明に係る一実施形態の貨幣処理機を図面を参照して以下に説明する。
本実施形態の貨幣処理機１０は、例えば、宅配便の基地センタに設置され、宅配便のドライバである担当者が顧客から代金引換で回収した代金を入金したり、代金引換のための釣銭準備金を仮払いしたりする際に用いられるものである。また、本実施形態の貨幣処理機１０は、担当者および貨幣処理機１０の管理者とは別の回収者（例えば警備会社の売上金回収担当者）によって、回収した代金である売上金が回収されるようになっている。
【００２６】
貨幣処理機１０は、貨幣のうちの硬貨を処理する図１〜図４に示す硬貨入出金装置部１１と、貨幣のうちの紙幣を処理する図５および図６に示す紙幣入出金装置部１２とが一体に並設されたものである。なお、以下の説明において、前は貨幣処理機１０の操作者側（手前側）、後は貨幣処理機１０の操作者に対し反対側（奥側）である。
【００２７】
まず、硬貨入出金装置部１１について図１〜図４を参照して説明する。
【００２８】
硬貨入出金装置部１１には、前側つまり操作者側（図１の左側）の上部に、複数金種が混在する金種混合状態で硬貨が機外から一括投入され、このように投入された硬貨を貯留しつつ一枚ずつ分離して繰り出す硬貨入金口（投入手段）１５が設けられており、硬貨入金口１５の下側に、機内からリジェクトされたリジェクト硬貨を機外に取出可能に貯留する硬貨リジェクト口１６が設けられ、その下側に、機内から出金された硬貨を機外に取出可能に貯留する硬貨出金口（払出手段）１７が設けられている。さらに、硬貨入出金装置部１１には、硬貨出金口１７の下側に、硬貨を金種混合状態で一時貯留する硬貨一時貯留部（一時貯留手段）１８が設けられ、この硬貨一時貯留部１８の下側に、返却時に硬貨一時貯留部１８から硬貨を受け取って金種混合状態で貯留する返却箱１９と、硬貨一時貯留部１８から硬貨を受け取って金種混合状態で収納する硬貨収納庫（収納手段）２０とが設けられている。これら返却箱１９および硬貨収納庫２０は、貨幣処理機１０の機体１に対して着脱可能となっている。よって、硬貨一時貯留部１８は、硬貨を返却箱１９を介して返却可能となるように一時貯留するとともに、一時貯留した硬貨を硬貨収納庫２０に収納可能となっている。
【００２９】
硬貨入出金装置部１１は、図２に示すように、硬貨入金口１５に投入された硬貨を左右方向一側に搬送する第１搬送部２５と、この第１搬送部２５の下流側に接続され、この第１搬送部２５から硬貨を受け取り水平方向において鋭角に折り返しつつ後方に搬送する第２搬送部２６とを有する入金硬貨搬送部２７を備えている。
【００３０】
硬貨入金口１５は、硬貨が外から投入されるとともに投入された硬貨を下方に案内する筒状のホッパ部３０と、硬貨入金口１５の底部を形成するようにホッパ部３０の下方に設けられこの位置から側方に延出してこの延出方向に硬貨を搬送する無端のベルトコンベア３１と、ベルトコンベア３１の上側に配置され、ベルトコンベア３１の搬送方向とは逆方向に対向部分を移動させる図示せぬ分離ローラと、ベルトコンベア３１および分離ローラを正逆駆動する共通の駆動源である図４に示す入金硬貨繰出駆動部３２とを有している。そして、硬貨入金口１５は、ホッパ部３０に投入された硬貨を、入金硬貨繰出駆動部３２の駆動力で回転するベルトコンベア３１によりその延在方向に送り途中位置に設けられた図示せぬ分離ローラで一枚ずつに分離してさらに下流側に繰り出す。
【００３１】
硬貨入金口１５のベルトコンベア３１は、硬貨入金口１５を構成する一方で、この硬貨入金口１５に投入された硬貨を搬送する上記した第１搬送部２５をも構成している。ベルトコンベア３１で構成される第１搬送部２５の終点部には、ベルトコンベア３１から硬貨を受け取って機体後方に搬送する第２搬送部２６の搬送路３３の始点部が接続されている。
【００３２】
第２搬送部２６は、第１搬送部２５のベルトコンベア３１から搬送路３３上に移送された硬貨を搬送路３３に上側から押し付けながら両側の壁部３５，３６で案内しつつ搬送路３３に沿って搬送する複数の移送ベルト３７，３８と、これら移送ベルト３７，３８を駆動する図４に示す入金硬貨搬送駆動部３９とを有している。
【００３３】
移送ベルト３７，３８は、直線状に延在する搬送路３３に対し若干傾斜する直線状に設けられており、硬貨を幅寄せするように片側の壁部３５に押し付けながら搬送するようになっている。
【００３４】
搬送路３３には、その上流側に、硬貨入金口１５から繰り出されて第１搬送部２５および第２搬送部２６で搬送される硬貨の磁気的性質や画像あるいは外径等を検出することでその金種の識別および金種別の計数等を行う硬貨識別部（入金識別手段）４４が設けられ、この硬貨識別部４４の下流側には硬貨識別部４４の識別結果に基づいて偽硬貨等の受け入れ不可なリジェクト硬貨を搬送路３３から排除可能な開閉リジェクト部４５が設けられている。この開閉リジェクト部４５は、搬送路３３に形成されたリジェクト孔４６およびこれを開閉させるシャッタ４７を有している。
【００３５】
また、搬送路３３には、この開閉リジェクト部４５の下流側に、硬貨識別部４４で正常と識別された受け入れ可能な受入硬貨を搬送路３３から落下可能な開閉選別部（第２の振分手段）５０が設けられている。この開閉選別部５０は、搬送路３３に形成された全金種の硬貨を落下可能な選別孔５１およびこれを開閉させるシャッタ５２を有しており、硬貨識別部４４で正常と識別された硬貨のうち、後述する金種別の硬貨出金収納部７０〜７５に収納しない非環流の硬貨を、図１に示す硬貨一時貯留部１８に貯留させる。つまり、ここでは、出金用として収納しきれないオーバーフロー硬貨を硬貨一時貯留部１８に直接貯留させる。
【００３６】
搬送路３３には、この開閉選別部５０の下流側に選別孔（振分手段）５３〜５８が形成されている。これら選別孔５３〜５８は硬貨を外径で選別する。つまり、基準面となる左側の壁部３５で案内されて移動する硬貨を外径の小さい順に選別するように、硬貨の搬送方向に沿って上流側から下流側に、１円硬貨用の最も小さい選別孔５３、選別孔５３よりも大きい、５０円硬貨用の選別孔５４、選別孔５４よりも大きい、５円硬貨用の選別孔５５、選別孔５５よりも大きい、１００円硬貨用の選別孔５６、選別孔５６よりも大きい、１０円硬貨用の選別孔５７、選別孔５７よりも大きい、５００円硬貨用の選別孔５８が、この順番に形成されている。つまり、選別孔５３〜５８は、硬貨識別部４４で正常と識別された硬貨を金種別に振り分ける。
【００３７】
開閉リジェクト部４５の上流側の直前位置には通過する硬貨を検出する硬貨検出センサ４５Ａが設けられており、開閉選別部５０の上流側の直前位置には同様の硬貨検出センサ５０Ａが、選別孔５３の上流側の直前位置には同様の硬貨検出センサ５３Ａが、選別孔５４の上流側の直前位置には同様の硬貨検出センサ５４Ａが、選別孔５５の上流側の直前位置には同様の硬貨検出センサ５５Ａが、選別孔５６の上流側の直前位置には同様の硬貨検出センサ５６Ａが、選別孔５７の上流側の直前位置には同様の硬貨検出センサ５７Ａが、選別孔５８の上流側の直前位置には同様の硬貨検出センサ５８Ａが、それぞれ設けられている。硬貨検出センサ４５Ａ，５０Ａは硬貨の検出数の差から開閉リジェクト部４５で落下した硬貨の数を計数することになり、硬貨検出センサ５０Ａ，５３Ａは開閉選別部５０で落下した硬貨の数を、硬貨検出センサ５３Ａ，５４Ａは選別孔５３で落下した硬貨の数を、硬貨検出センサ５４Ａ，５５Ａは選別孔５４で落下した硬貨の数を、硬貨検出センサ５５Ａ，５６Ａは選別孔５５で落下した硬貨の数を、硬貨検出センサ５６Ａ，５７Ａは選別孔５６で落下した硬貨の数を、硬貨検出センサ５７Ａ，５８Ａは選別孔５７で落下した硬貨の数を、硬貨検出センサ５８Ａは選別孔５８で落下した硬貨の数を、それぞれ計数することになる。
【００３８】
開閉選別部５０の直下には図１に示すシュート５９が、選別孔５３の直下にはシュート６０が、選別孔５４の直下にはシュート６１が、選別孔５５の直下にはシュート６２が、選別孔５６の直下にはシュート６３が、選別孔５７の直下にはシュート６４が、選別孔５８の直下にはシュート６５が、それぞれ設けられている。シュート５９の下側に硬貨一時貯留部１８が設けられており、シュート６０〜６５の下側には、図３に示すようにそれぞれが前後方向に沿う状態で左右方向に並べられた複数具体的には６カ所の硬貨出金収納部（環流手段）７０〜７５が設けられている。硬貨出金収納部７０〜７５は、金種別のもので、選別孔５３〜５８で振り分けられた硬貨を繰り出し可能に収納する。
【００３９】
具体的に、最も前側の選別孔５３から落下された１円硬貨はシュート６０を介して左右方向一端の１円硬貨専用の硬貨出金収納部７０に貯留される。前から二番目の５０円硬貨用の選別孔５４で落下された５０円硬貨はシュート６１を介して硬貨出金収納部７０と隣り合う５０円硬貨専用の硬貨出金収納部７１に貯留され、前から三番目の５円硬貨用の選別孔５５で落下された５円硬貨はシュート６２を介して硬貨出金収納部７１と隣り合う５円硬貨専用の硬貨出金収納部７２に貯留され、前から四番目の１００円硬貨用の選別孔５６で落下された１００円硬貨はシュート６３を介して硬貨出金収納部７２と隣り合う１００円硬貨専用の硬貨出金収納部７３に貯留され、前から五番目の１０円硬貨用の選別孔５７で落下された１０円硬貨はシュート６４を介して硬貨出金収納部７３と隣り合う１０円硬貨専用の硬貨出金収納部７４に貯留され、最も後側の５００円硬貨用の選別孔５８で落下された５００円硬貨はシュート６５を介して硬貨出金収納部７４と隣り合う左右方向他端の５００円硬貨専用の硬貨出金収納部７５に貯留される。なお、開閉リジェクト部４５で落下された硬貨は図１に示すリジェクトシュート７６で前側の硬貨リジェクト口１６に案内される。
【００４０】
各硬貨出金収納部７０〜７５は、それぞれの底部を形成するように前後方向に延在する状態で左右方向に並設されて回転時に硬貨出金口１７側に硬貨を搬送する無端のベルトコンベア７７と、ベルトコンベア７７の搬送方向とは逆方向に対向部分を移動させるように回転する分離ローラ７８と、ベルトコンベア７７および分離ローラ７８を正逆駆動する共通の駆動源である図４に示す出金硬貨搬送駆動部７９とを有している。
【００４１】
ここで、図１に示すように、ベルトコンベア７７は、下流側が上側に位置するように傾斜しており、その上部側所定位置に上記した分離ローラ７８が配置されている。
【００４２】
そして、硬貨出金収納部７０〜７５は、出金硬貨搬送駆動部７９の駆動力によりすべてのベルトコンベア７７を一度に回転させることで硬貨を硬貨出金口１７側に搬送することになり、このとき、それぞれの分離ローラ７８が、硬貨出金口１７側に繰り出される硬貨を一枚ずつに分離する。
【００４３】
図３に示すように、硬貨出金収納部７０は、分離ローラ７８よりも下流側でベルトコンベア７７に向けて上から図示せぬピンを進退させることで硬貨の繰り出しを規制および許容するソレノイド８０と、ソレノイド８０の駆動でベルトコンベア７７から硬貨出金口１７に向けて繰り出される硬貨の金種を識別しつつ計数する磁気センサからなる出金計数センサ７０Ａとを有している。同様に、硬貨出金収納部７１はソレノイド８１および出金計数センサ７１Ａを、硬貨出金収納部７２はソレノイド８２および出金計数センサ７２Ａを、硬貨出金収納部７３はソレノイド８３および出金計数センサ７３Ａを、硬貨出金収納部７４はソレノイド８４および出金計数センサ７４Ａを、硬貨出金収納部７５はソレノイド８５および出金計数センサ７５Ａを、それぞれ有している。
【００４４】
硬貨出金収納部７０〜７５と硬貨出金口１７との間には、図１に示すように、硬貨出金収納部７０〜７５から繰り出された硬貨を案内するシュート部９０が設けられており、このシュート部９０には、シュート部９０の下部を開閉する振分部材９１を、ソレノイド等の電気的駆動で揺動させることで、閉じて硬貨を硬貨出金口１７に案内する状態と、開いて硬貨を下方に落下させる状態とに切り換える振分部９２が設けられている。振分部材９１を開状態とすることで、シュート部９０の硬貨をシュート９４で案内して硬貨一時貯留部１８に落下させる。よって、硬貨出金口１７は、金種別の硬貨出金収納部７０〜７５から繰り出された硬貨を機外に払い出すことになり、硬貨一時貯留部１８は、金種別の硬貨出金収納部７０〜７５から繰り出された硬貨を一時貯留することになる。そして、硬貨収納庫２０は、硬貨一時貯留部１８で一時貯留されることになった、金種別の硬貨出金収納部７０〜７５から繰り出された硬貨を収納する。
【００４５】
硬貨一時貯留部１８は、上下に開口する筒状の囲壁部９５と、囲壁部９５の下部開口を閉塞可能な底板９６とを有している。囲壁部９５は、図４に示す壁スライド部９７の駆動で前後方向にスライドし、底板９６は底板スライド部９８の駆動で前後方向にスライドすることになる。
【００４６】
図１に示すように、硬貨一時貯留部１８の下側には、硬貨一時貯留部１８の硬貨を返却する上記した返却箱１９と、上下に開口する筒状のシュート９９とが前後に並設されており、シュート９９の下側に、硬貨一時貯留部１８の硬貨を収納する上記した硬貨収納庫２０が配置されている。
【００４７】
硬貨一時貯留部１８は、囲壁部９５および底板９６が可動範囲の中央位置にある待機状態では、シュート９４で案内されて落下する硬貨を受け取って貯留することになり、この待機状態から、囲壁部９５が返却箱１９の方向にスライドし、底板９６が返却箱１９とは反対方向にスライドすることで、硬貨を返却箱１９に放出する一方、待機状態から、囲壁部９５がシュート９９の方向にスライドし、底板９６がシュート９９とは反対方向にスライドすることで、硬貨をシュート９９に放出しシュート９９を介して硬貨収納庫２０に収納する。
【００４８】
硬貨収納庫２０は、硬貨入出金装置部１１内で入金のみが可能な金種混合の収納庫であり、硬貨入出金装置部１１に取り付けられた状態でシュート９９を介して上部の開口部１００から硬貨を受け入れる。つまり、硬貨収納庫２０は、硬貨出金収納部７０〜７５から繰り出された硬貨を収納する。ここで、開口部１００には、これを開閉するシャッタ１０１が設けられており、このシャッタ１０１は、硬貨収納庫２０が硬貨入出金装置部１１に装填されると、この装填動作に連動して開口部１００を開き、硬貨収納庫２０が硬貨入出金装置部１１から取り外されると、この取り外し動作に連動して開口部１００を閉じる。また、取り出された硬貨収納庫２０は、図示せぬキーのキー操作によって、図示せぬ扉を開くことにより中に収納された硬貨が取り出し可能となる。硬貨入出金装置部１１の硬貨収納庫２０の下方には、棒金を収納する棒金保管庫１０２が設けられている。
【００４９】
貨幣処理機１０には、図４に示すように、制御部（売上金確定手段，繰出規制手段，振分制御手段，許諾手段，参照手段，精算手段，集計手段，照会手段）１０５と、制御プログラム等が記憶されたＲＯＭ（確保値記憶手段）１０６と、硬貨識別部４４の識別に基づく金種別の硬貨枚数等を記憶するＲＡＭ（払出不足金額記憶手段）１０７と、貨幣の取引操作等、操作者による操作入力が行われる操作部（操作手段，確認手段）１０８と、操作者への表示を行う案内表示部（規制報知手段，払出不足報知手段，案内手段）１０９と、紙面に印字を行うプリンタ（発行手段）１１０とが設けられている。案内表示部１０９は、視覚的に表示を行う表示装置や表示灯と聴覚的に表示を行うスピーカ等とで構成されている。ここで、操作部１０８には、担当者識別情報や管理者識別情報も入力されることになるため、暗証番号が入力されるテンキー、ＩＤカードを読み取るカードリーダあるいは生体認証を行う生体認証装置等が含まれている。
【００５０】
また、制御部１０５には、硬貨入出金装置部１１の入金硬貨繰出駆動部３２、入金硬貨搬送駆動部３９、硬貨識別部４４、開閉リジェクト部４５、開閉選別部５０、硬貨検出センサ４５Ａ，５０Ａ，５３Ａ〜５８Ａ、出金硬貨搬送駆動部７９、ソレノイド８０〜８５、出金計数センサ７０Ａ〜７５Ａ、振分部９２、壁スライド部９７および底板スライド部９８が通信可能に接続されている。
【００５１】
次に、紙幣入出金装置部１２について主に図５および図６を参照して説明する。
【００５２】
紙幣入出金装置部１２は、図５に示すように、前側つまり操作者側（図５の左側）の上部に、複数金種が混在する金種混合状態で紙幣が一括投入され、投入された紙幣を貯留する紙幣入金口（投入手段）１２１が設けられており、その下側に、機内から繰り出された紙幣を機外に取出可能に貯留する紙幣出金口（払出手段）１２２が設けられている。さらに、この紙幣出金口１２２の下側には、機体に対して引き出し可能であり紙幣を返却可能に金種混合状態で一時貯留する紙幣一時貯留部（一時貯留手段）１２４と、この紙幣一時貯留部１２４から紙幣を受け取って金種混合状態で収納する、機体に対して着脱可能な紙幣収納庫（収納手段）１２５とが設けられている。よって、紙幣一時貯留部１２４は、紙幣を返却可能に一時貯留するとともに、一時貯留した紙幣を紙幣収納庫１２５に収納可能となっている。
【００５３】
紙幣入出金装置部１２は、紙幣入金口１２１に投入された紙幣を一枚ずつに分離して繰り出す入金紙幣繰出部（投入手段）１３０と、この入金紙幣繰出部１３０で繰り出された紙幣を搬送する入金紙幣搬送路１３１と、入金紙幣搬送路１３１の途中に設けられて搬送中の紙幣を識別し、正常と識別された紙幣を金種毎に計数する紙幣識別部（入金識別手段）１３２とを有している。
【００５４】
また、紙幣入出金装置部１２は、入金紙幣搬送路１３１の紙幣識別部１３２よりも下流側に設けられた振分部（第２の振分手段）１３４と、入金紙幣搬送路１３１の振分部１３４の位置から分岐するリジェクト紙幣搬送路１３５とを有している。リジェクト紙幣搬送路１３５は紙幣出金口１２２に接続する出金紙幣搬送路１３６に合流しており、振分部１３４は、紙幣識別部１３２の識別結果に応じて、識別不能券および搬送異常券とされた異常紙幣を振分部材１３４Ａによってリジェクト紙幣搬送路１３５側へと振り分ける。そして、異常紙幣は、リジェクト紙幣搬送路１３５から出金紙幣搬送路１３６を介して機外へ取出可能となるように紙幣出金口１２２に繰り出される。一方、振分部１３４は、真券且つ正常搬送券と識別された受入紙幣（正常と識別された紙幣）を振分部材１３４Ａによってそのまま入金紙幣搬送路１３１の下流側へと導く。紙幣入出金装置部１２は、この入金紙幣搬送路１３１の振分部１３４よりも下流側に、紙幣識別部１３２の識別結果に基づいて選別された紙幣を繰り出し可能に収納する入出金可能な複数具体的には三つの金種別のスタッカ（環流手段）１３８〜１４０を有している。
【００５５】
つまり、紙幣入出金装置部１２は、入金紙幣搬送路１３１の振分部１３４よりも下流側に、振分部材１４２Ａによって紙幣を分岐紙幣搬送路１４３側に振り分けて最も上流側のスタッカ１３８へと導く振分部（振分手段）１４２を有しており、入金紙幣搬送路１３１の振分部１４２よりも下流側に、振分部材１４４Ａによって紙幣を分岐紙幣搬送路１４５側に振り分けて中間のスタッカ１３９へと導く振分部（振分手段）１４４を有している。そして、入金紙幣搬送路１３１の振分部１４４よりも下流側には最も下流側のスタッカ１４０が接続されている。振分部１４２，１４４は、紙幣識別部１３２で正常と識別された貨幣を金種別にスタッカ１３８〜１４０に振り分ける。
【００５６】
スタッカ１３８は、上部から紙幣が一枚ずつ入金され、出金紙幣繰出部１３８ａが下部から紙幣を一枚ずつ分離して繰出紙幣搬送路１５０に繰り出す。スタッカ１３９も、上部から紙幣が一枚ずつ入金され、出金紙幣繰出部１３９ａが下部から紙幣を一枚ずつ分離して繰出紙幣搬送路１５１に繰り出す。スタッカ１４０も、上部から紙幣が一枚ずつ入金され、出金紙幣繰出部１４０ａが下部から紙幣を一枚ずつ分離して繰出紙幣搬送路１５２に繰り出す。
【００５７】
繰出紙幣搬送路１５０〜１５２は、上記した紙幣出金口１２２につながる出金紙幣搬送路１３６に接続されている。
【００５８】
紙幣入出金装置部１２は、出金紙幣搬送路１３６におけるリジェクト紙幣搬送路１３５の合流位置よりも下流側に設けられた振分部（第２の振分手段）１５４と、出金紙幣搬送路１３６の振分部１５４の位置から分岐する分岐紙幣搬送路１５５とを有しており、この分岐紙幣搬送路１５５には上記した紙幣一時貯留部１２４が接続されている。振分部１５４は、振分部材１５４Ａによって紙幣一時貯留部１２４に一時貯留させるべき紙幣を分岐紙幣搬送路１５５側へ、またそれ以外の紙幣をそのまま出金紙幣搬送路１３６の下流側へと振り分ける。具体的に、金種別のスタッカ１３８〜１４０から繰り出された紙幣を振分部１５４が紙幣一時貯留部１２４に一時貯留させたり、紙幣入金口１２１から繰り出され、紙幣識別部１３で正常と識別された紙幣のうち金種別のスタッカ１３８〜１４０に、環流しない非環流の紙幣を振分部１３４および振分部１５４が紙幣一時貯留部１２４に一時貯留させたりする。つまり、ここでは、紙幣識別部１３で正常と識別された紙幣のうち出金用として収納しきれないオーバーフロー紙幣、出金用として使用しない１万円紙幣、取り扱いの少ない２千円紙幣および汚損紙幣を非環流の紙幣として紙幣一時貯留部１２４に直接案内する。
【００５９】
また、紙幣入出金装置部１２は、出金紙幣搬送路１３６における振分部１５４よりも下流側に設けられた振分部１５７と、出金紙幣搬送路１３６の振分部１５７の位置から分岐する分岐紙幣搬送路１５８とを有しており、この分岐紙幣搬送路１５８には紙幣を貯留する紙幣リジェクト庫１５９が接続されている。振分部１５７は、振分部材１５７Ａによって紙幣リジェクト庫１５９に収納させるべき紙幣を分岐紙幣搬送路１５８側へ、またそれ以外の紙幣をそのまま出金紙幣搬送路１３６の下流側つまり紙幣出金口１２２側へと振り分ける。
【００６０】
紙幣一時貯留部１２４は、上下に開口する略筒状の囲壁部１７０と、囲壁部１７０の下部開口を閉塞可能な一対の底板１７１とを有している。一対の底板１７１は、図６に示す開閉スライド部１７２によって水平状態を維持したまま、互いに近接・離間可能に設けられており、互いに離間する方向にスライドすることで、囲壁部１７０の下部開口を開き、互いに近接する方向にスライドすることで、囲壁部１７０の下部開口を閉じる。紙幣一時貯留部１２４には、昇降するプッシャ１７３と、このプッシャ１７３を昇降させる図６に示すプッシャ昇降部１７４とが設けられている。また、紙幣一時貯留部１２４の囲壁部１７０および一対の底板１７１は、紙幣の返却のため、一対の底板１７１を閉じた状態で機体から引き出し可能となっている。
【００６１】
紙幣一時貯留部１２４に一時貯留した紙幣を収納する紙幣収納庫１２５は、箱状の収納庫本体１８０と、紙幣一時貯留部１２４から落下する紙幣を収納庫本体１８０の上部の開口部１８１を介して受け取る揺動可能な一対のフラッパ１８２と、一対のフラッパ１８２の下側で昇降可能に設けられた載置板１８３とを有している。一対のフラッパ１８２は、図示略のスプリングの付勢力により水平状態に維持され、この状態から相互近接側が下方に位置するように揺動して開く。また、載置板１８３は図示略のスプリングによって上昇方向に付勢されており、紙幣を閉状態のフラッパ１８２との間に挟んで保持する。
【００６２】
紙幣の収納時には、開閉スライド部１７２によって一対の底板１７１を離間方向にスライドさせることで、一対の底板１７１上に一時貯留していた紙幣を囲壁部１７０の下部開口から落下させる。すると、この紙幣は、開口部１８１を介して紙幣収納庫１２５の閉状態のフラッパ１８２上に載置される。次に、プッシャ昇降部１７４がプッシャ１７３を下降させることになり、これにより、プッシャ１７３は、紙幣を介してフラッパ１８２を図示略のスプリングの付勢力に抗して開いて、紙幣をフラッパ１８２より下側に移動させて載置板１８３上またはその上にすでに収納されている紙幣上に載置させることになり、その後、プッシャ１７３が上昇すると、載置板１８３が図示略のスプリングの付勢力で紙幣を閉状態のフラッパ１８２との間で挟んで保持する。なお、紙幣収納庫１２５には、収納庫本体１８０の上部の開口部１８１を閉塞可能なシャッタ１８４が設けられており、紙幣収納庫１２５が紙幣入出金装置部１２に装填されると、この装填動作に連動してシャッタ１８４が開口部１８１を開き、紙幣収納庫１２５が紙幣入出金装置部１２から取り外されると、この取り外し動作に連動してシャッタ１８４が開口部１８１を閉じることになる。紙幣収納庫１２５は、この状態から図示せぬキーのキー操作によって図示せぬ扉を開くことにより中に収納された紙幣が取り出し可能となる。
【００６３】
さらに、紙幣入出金装置部１２は、紙幣搬送路１３１，１３５，１３６，１４３，１４５，１５０〜１５２，１５５，１５８に設けられて、搬送される紙幣の状態やタイミングを確認するための複数の紙幣検出センサ１９１〜２０２を有している。
【００６４】
紙幣検出センサ１９１は、入金紙幣搬送路１３１における入金紙幣繰出部１３０と紙幣識別部１３２との間にあって、入金紙幣繰出部１３０によって入金紙幣搬送路１３１上に一枚ずつ繰り出された紙幣を検出するものであり、紙幣検出センサ１９２は、リジェクト紙幣搬送路１３５における振分部１３４の直後位置にあって振分部１３４でリジェクト紙幣搬送路１３５に振り分けられた紙幣を検出するものである。
【００６５】
また、紙幣検出センサ１９３はスタッカ１３８の直前位置の分岐紙幣搬送路１４３にあって振分部１４２で振り分けられてスタッカ１３８に入金される紙幣を検出するものであり、紙幣検出センサ１９４はスタッカ１３９の直前位置の分岐紙幣搬送路１４５にあって振分部１４４で振り分けられてスタッカ１３９に入金される紙幣を検出するものであって、紙幣検出センサ１９５はスタッカ１４０の直前位置の入金紙幣搬送路１３１にあってスタッカ１４０に入金される紙幣を検出するものである。
【００６６】
さらに、紙幣検出センサ１９６はスタッカ１３８の直後位置の繰出紙幣搬送路１５０にあってスタッカ１３８から繰り出された紙幣を検出するものであり、紙幣検出センサ１９７はスタッカ１３９の直後位置の繰出紙幣搬送路１５１にあってスタッカ１３９から繰り出された紙幣を検出するものであり、紙幣検出センサ１９８はスタッカ１４０の直後位置の繰出紙幣搬送路１５２にあってスタッカ１４０から繰り出された紙幣を検出するものである。
【００６７】
加えて、紙幣検出センサ１９９は出金紙幣搬送路１３６の繰出紙幣搬送路１５０〜１５２よりも下流側にあってすべてのスタッカ１３８〜１４０から繰り出された紙幣を検出するものであり、紙幣検出センサ２００は紙幣一時貯留部１２４の直前位置の分岐紙幣搬送路１５５にあって振分部１５４で振り分けられて紙幣一時貯留部１２４に導入される紙幣を検出するものであって、紙幣検出センサ２０１は紙幣リジェクト庫１５９の直前位置の分岐紙幣搬送路１５８にあって振分部１５７で振り分けられて紙幣リジェクト庫１５９に導入される紙幣を検出するものである。さらに、紙幣検出センサ（確定手段，枚数判定手段）２０２は、出金紙幣搬送路１３６の紙幣出金口１２２と振分部１５７との間、つまり紙幣出金口１２２の近傍にあって、紙幣出金口１２２に繰り出される紙幣を検出するものである。言い換えれば、紙幣検出センサ２０２は、紙幣出金口１２２の近傍で紙幣の通過を検出して枚数を判定する。
【００６８】
紙幣検出センサ１９１〜２０２は、光学式センサであって、配置された場所における紙幣の残留検知のみならず、タイミングを計ったり、搬送の状況（重送、斜行等）を見たり、計数を行ったりと、複数の機能を有する。
【００６９】
紙幣入出金装置部１２は硬貨入出金装置部１１と同様、制御部１０５で制御されることになり、制御部１０５には、図６に示すように、紙幣入出金装置部１２の入金紙幣繰出部１３０と、入金紙幣搬送路１３１および分岐紙幣搬送路１４３，１４５を駆動する入金紙幣搬送駆動部２０５と、各スタッカ１３８〜１４０の出金紙幣繰出部１３８ａ，１３９ａ，１４０ａと、出金紙幣搬送路１３６および繰出紙幣搬送路１５０〜１５２を駆動する出金紙幣搬送駆動部２０６と、リジェクト紙幣搬送路１３５および分岐紙幣搬送路１５５を駆動するリジェクト紙幣搬送駆動部２０７と、紙幣識別部１３２と、振分部１３４，１４２，１４４，１５４，１５７と、紙幣検出センサ１９１〜２０２とが通信可能に接続されている。
【００７０】
ここで、三つのスタッカ１３８〜１４０はすべて金種別とされ、例えば、千円券が、いずれも千円券専用のスタッカ１３８，１３９に、５千円券が５千円券専用のスタッカ１４０にそれぞれ収納されるようになっている。なお、スタッカ１３８〜１４０の金種設定はこれに限らず変更可能である。
【００７１】
そして、本実施形態において、ＲＯＭ１０６には、最大額面貨幣の額面金額から最小額面貨幣の額面金額を減算した金額を、金種別の硬貨出金収納部７０〜７５および金種別のスタッカ１３８〜１４０から出金させるのに必要な所定の金種別の確保値が記憶されている。ここで、所定の金種別の確保値は、最小額面貨幣の額面金額から、最大額面貨幣の額面金額から最小額面貨幣の額面金額を減算した金額までを、最小額面貨幣の額面金額単位で全金額作成可能なものである。
【００７２】
つまり、日本国内で通常流通している貨幣は、１万円紙幣、５千円紙幣、２千円紙幣、千円紙幣、５００円硬貨、１００円硬貨、５０円硬貨、１０円硬貨、５円硬貨および１円硬貨であるため、最大額面貨幣は１万円紙幣であり、その額面金額は１万円である。また、最小額面貨幣は１円硬貨であり、その額面金額は１円である。よって、１万円から１円を減算した金額である９９９９円を出金させるために必要な所定の金種別の確保値がＲＯＭ１０６には記憶されている。具体的には、所定の金種別の確保値として、５千円券専用のスタッカ１４０の５千円紙幣が１枚と、千円券専用のスタッカ１３８，１３９の合計の千円紙幣が４枚と、５００円硬貨専用の硬貨出金収納部７５の５００円硬貨が１枚と、１００円硬貨専用の硬貨出金収納部７３の１００円硬貨が４枚と、５０円硬貨専用の硬貨出金収納部７１の５０円硬貨が１枚と、１０円硬貨専用の硬貨出金収納部７４の１０円硬貨が４枚と、５円硬貨専用の硬貨出金収納部７２の５円硬貨が１枚と、１円硬貨専用の硬貨出金収納部７０の１円硬貨が４枚とが、ＲＯＭ１０６に記憶されている。
【００７３】
なお、所定の金種別の確保値としては、上記に限定されるものではなく、例えば、千円券専用のスタッカ１３８，１３９の合計の千円紙幣が９枚と、５００円硬貨専用の硬貨出金収納部７５の５００円硬貨が１枚と、１００円硬貨専用の硬貨出金収納部７３の１００円硬貨が４枚と、５０円硬貨専用の硬貨出金収納部７１の５０円硬貨が１枚と、１０円硬貨専用の硬貨出金収納部７４の１０円硬貨が４枚と、５円硬貨専用の硬貨出金収納部７２の５円硬貨が１枚と、１円硬貨専用の硬貨出金収納部７０の１円硬貨が４枚とを、所定の金種別の確保値としてＲＯＭ１０６に記憶するようにしても良い。
【００７４】
また、上記した所定の金種別の確保値は、最大額面貨幣の額面金額から最小額面貨幣の額面金額を減算した金額である９９９９円を過不足なく金種別の硬貨出金収納部７０〜７５および金種別のスタッカ１３８〜１４０から出金させるのに必要な金種別の枚数となっているが、特に紙幣においては金種別のスタッカ１３８〜１４０からの繰り出し時に重送を生じる可能性があるため、不足なく出金させることができれば良いことから、余裕分を加えて所定の金種別の確保値としても良い。
【００７５】
次に、各処理について説明する。
【００７６】
一の取引開始にあたって、ログイン操作として、操作部１０８に識別情報が入力されると、制御部１０５は、この入力された識別情報が、ＲＡＭ１０７に予め記憶されている貨幣処理機１０の取引操作を許諾できる担当者識別情報群に含まれているか否かを判定する。そして、制御部１０５は、入力された識別情報が、担当者用の取引操作を許諾できる担当者識別情報群に含まれていれば、担当者用の取引操作を許諾して、この識別情報を一の担当者識別情報として、この一の取引の日時情報を含む取引識別情報と関連付けてＲＡＭ１０７に記憶する。
【００７７】
他方、この入力された識別情報が、担当者用の取引操作を許諾できる担当者識別情報群に含まれていなければ、制御部１０５は、さらに上位の管理者用の取引操作を許諾できる管理者識別情報群に含まれているか否かを判定する。そして、入力された識別情報が、管理者用の取引操作を許諾できる管理者識別情報群に含まれていれば、管理者用の取引操作を許諾して、この識別情報を一の管理者識別情報として、この一の取引の日時情報を含む取引識別情報と関連付けてＲＡＭ１０７に記憶する。
【００７８】
さらに、この入力された識別情報が、管理者用の取引操作を許諾できる管理者識別情報群にも含まれていなければ、制御部１０５は、回収者用の取引操作を許諾できる回収者識別情報群に含まれているか否かを判定する。そして、入力された識別情報が、回収者用の取引操作を許諾できる回収者識別情報群に含まれていれば、回収者用の取引操作を許諾して、この識別情報を一の回収者識別情報として、この一の取引の日時情報を含む取引識別情報と関連付けてＲＡＭ１０７に記憶する。
【００７９】
なお、入力された識別情報が、回収者識別情報群にも含まれていなければ、制御部１０５は、入力された識別情報が誤りである旨を案内表示部１０９に表示させる。
【００８０】
上記のように、担当者用の取引操作を許諾した条件下において、制御部１０５は、この一の担当者識別情報に関連付けて、精算要の払出不足金額がＲＡＭ１０７に記憶されているか否かを確認する。この確認結果から、この一の担当者識別情報に関連付けて精算要の払出不足金額がＲＡＭ１０７に記憶されていた場合、制御部１０５は、案内表示部１０９に、入金処理、釣銭準備金仮払処理、両替処理、払出不足金精算処理および払出不足金集計処理からなる、担当者用の取引操作の種別を表示させ、これらのうちから一つの選択を操作部１０８に受け付ける状態となる。他方、この一の担当者識別情報に関連付けて精算要の払出不足金額がＲＡＭ１０７に記憶されていなければ、案内表示部１０９に、払出不足金精算処理を含まない、入金処理、釣銭準備金仮払処理、両替処理および払出不足金個別集計処理からなる、担当者用の取引操作の種別を表示させ、これらのうちから一つの選択を操作部１０８に受け付ける状態となる。
【００８１】
管理者用の取引操作を許諾した条件下においては、制御部１０５は、案内表示部１０９に、売上金収納処理および払出不足金全体集計処理からなる、管理者用の取引操作の種別を表示し、これらの選択を操作部１０８に受け付ける状態となる。
【００８２】
回収者用の取引操作を許諾した条件下においては、制御部１０５は、案内表示部１０９に、売上金収納処理からなる回収者用の取引操作を表示し、その入力を操作部１０８に受け付ける状態となる。
【００８３】
〔入金処理〕
担当者用の取引操作の種別の選択に対して、操作部１０８に、入金処理を行う旨の選択入力である入金処理操作が行われると、制御部１０５は、この一の取引の伝票金額の操作部１０８への入力、硬貨入金口１５への硬貨の投入、紙幣入金口１２１への紙幣の投入を促す表示を案内表示部１０９に表示させる。硬貨入金口１５に硬貨が投入され、紙幣入金口１２１に紙幣が投入された状態で、操作部１０８に、この一の取引の伝票金額の入力を含む入金操作が入力されると、制御部１０５は、硬貨入出金装置部１１については硬貨入金処理の硬貨入金案内処理を開始することになり、紙幣入出金装置部１２については紙幣入金処理の紙幣入金案内処理を開始することになる。
【００８４】
「硬貨入金案内処理」
制御部１０５は、入金硬貨繰出駆動部３２，３９を駆動して、ベルトコンベア３１および移送ベルト３７，３８を作動させ、硬貨入金口１５の硬貨をベルトコンベア３１および図示せぬ分離ローラで一枚ずつ分離して入金硬貨搬送部２７に繰り出し、移送ベルト３７，３８で入金硬貨搬送部２７に沿って搬送しつつ硬貨識別部４４で識別する。そして、硬貨識別部４４の識別結果に基づき、識別異常とされたリジェクト硬貨を、開閉リジェクト部４５によりリジェクト孔４６から落下させ硬貨リジェクト口１６に繰り出させることで、機外にリジェクトする。
【００８５】
他方、硬貨識別部４４の識別結果に基づき、正常な硬貨と識別された受入硬貨を、閉状態の開閉リジェクト部４５によってそのまま入金硬貨搬送部２７の下流側に移動させる。その結果、受入硬貨を、選別孔５３〜５８の対応するもので選別して硬貨出金収納部７０〜７５の対応するものに貯留する。つまり、１円硬貨であれば選別孔５３で硬貨出金収納部７０に貯留し、５０円硬貨であれば選別孔５４で硬貨出金収納部７１に貯留し、５円硬貨であれば選別孔５５で硬貨出金収納部７２に貯留し、１００円硬貨であれば選別孔５６で硬貨出金収納部７３に貯留し、１０円硬貨であれば選別孔５７で硬貨出金収納部７４に貯留し、５００円硬貨であれば選別孔５８で硬貨出金収納部７５に貯留する。なお、硬貨出金収納部７０〜７５の対応するものに貯留し切れないオーバーフロー硬貨は、開閉選別部５０を開いて硬貨一時貯留部１８に貯留させる。そして、制御部１０５は、硬貨識別部４４の識別結果つまり受入硬貨の金種毎の計数値をこの一の取引の取引識別情報に関連付けてＲＡＭ１０７に一時的に記憶させる。
【００８６】
制御部１０５は、硬貨入金案内処理中に、入金硬貨繰出駆動部３２および入金硬貨搬送駆動部３９が駆動状態にあっても硬貨識別部４４によって硬貨が検出されない状態が所定時間以上になると、硬貨入金口１５に投入されたすべての硬貨を排出して硬貨出金収納部７０〜７５、硬貨一時貯留部１８および硬貨リジェクト口１６のいずれかに案内する硬貨入金案内処理が終了したと判定する。
【００８７】
「紙幣入金案内処理」
制御部１０５は、入金紙幣搬送駆動部２０５、リジェクト紙幣搬送駆動部２０７を駆動して、入金紙幣搬送路１３１、分岐紙幣搬送路１４３，１４５、リジェクト紙幣搬送路１３５、分岐紙幣搬送路１５５および出金紙幣搬送路１３６を作動させ、紙幣入金口１２１の紙幣を入金紙幣繰出部１３０で一枚ずつ分離して入金紙幣搬送路１３１に繰り出し、紙幣識別部１３２で識別する。そして、紙幣識別部１３２の識別結果に基づき、判別不能券または重送等の搬送異常券と識別された異常紙幣は、振分部１３４にて入金紙幣搬送路１３１からリジェクト紙幣搬送路１３５に振り分けられ、さらに振分部１５４および振分部１５７にて出金紙幣搬送路１３６を介して紙幣出金口１２２に繰り出されることで、機外に取出可能にリジェクトされる。
【００８８】
他方、紙幣識別部１３２の識別結果に基づき、振分部１３４は、真券かつ搬送正常券と識別された受入紙幣のうち千円券および五千円券をそのまま入金紙幣搬送路１３１の下流側に導き、スタッカ１３８〜１４０および紙幣一時貯留部１２４のうちの対応するいずれかに上部から収納する。つまり、千円券であれば、振分部１４２で振り分けて分岐紙幣搬送路１４３からスタッカ１３８に収納し、または振分部１４２および振分部１４４で振り分けて分岐紙幣搬送路１４５からスタッカ１３９に収納し、５千円券であれば、振分部１４２および振分部１４４で振り分けて入金紙幣搬送路１３１を介してスタッカ１４０に収納する。なお、スタッカ１３８〜１４０に収納しきれないオーバーフロー紙幣と、環流使用しない万円券と、取り扱い数が最少の２千円券と、汚損券とについては、振分部１３４にて入金紙幣搬送路１３１からリジェクト紙幣搬送路１３５に振り分け、さらに振分部１５４にて分岐紙幣搬送路１５５に振り分けて、紙幣一時貯留部１２４に一時貯留する。ここで、制御部１０５は、紙幣識別部１３２の識別結果つまり受入紙幣の金種毎の紙幣の計数値をこの一の取引の取引識別情報に関連付けてＲＡＭ１０７に一時的に記憶させる。
【００８９】
そして、制御部１０５は、紙幣入金案内処理中に、紙幣検出センサ１９１〜１９５，２００，２０２のいずれによっても紙幣が検出されない状態が所定時間以上になると、紙幣入金口１２１からすべての紙幣を排出してスタッカ１３８〜１４０、紙幣一時貯留部１２４および紙幣出金口１２２のいずれかに案内する紙幣入金案内処理が終了したと判定する。
【００９０】
硬貨入金案内処理および紙幣入金案内処理が共に終了したと判定すると、制御部１０５は、案内表示部１０９に今回の一の取引での硬貨入金案内処理における硬貨識別部４４の計数結果と、今回の一の取引での紙幣入金案内処理の紙幣識別部１３２の計数結果とを表示させ、その後の処理を促す表示を行う。すなわち、入金取消処理をするか、入金確定処理をするかを問う。
【００９１】
上記した入金取消処理をするか、入金確定処理をするかの問いに対して、操作者が、承認操作入力である入金確定処理の選択操作を操作部１０８に入力すると、制御部１０５は、今回の一の取引で入力された伝票金額と、今回の一の取引での、硬貨入金案内処理による硬貨の入金金額と紙幣入金案内処理よる紙幣の入金金額との合計の貨幣入金金額と、上記一の担当者識別情報に関連付けられてＲＡＭ１０７に記憶されている一の釣銭準備金仮払金額（後述）とを比較する。
【００９２】
そして、今回の一の取引での貨幣入金金額が、今回の一の取引で入力された伝票金額と上記一の釣銭準備金仮払金額との加算値に等しければ、硬貨入出金装置部１１において硬貨収納案内処理を行い、紙幣入出金装置部１２において紙幣収納案内処理を行って、ＲＡＭ１０７に一時的に記憶させていた今回の入金処理の硬貨および紙幣の計数値、つまり金種別の硬貨出金収納部７０〜７５および硬貨一時貯留部１８のそれぞれへの硬貨の今回の入金処理での収納量および金種別のスタッカ１３８〜１４０および紙幣一時貯留部１２４のそれぞれへの紙幣の今回の入金処理での収納量を確定してこの一の取引の取引識別情報に関連付けてＲＡＭ１０７に記憶するとともに、このＲＡＭ１０７に記憶されている上記した一の釣銭準備金仮払金額を０にリセットする。
【００９３】
「硬貨収納案内処理」
制御部１０５は、硬貨一時貯留部１８に硬貨がある場合、硬貨一時貯留部１８の壁スライド部９７により囲壁部９５をシュート９９側にスライドさせ、底板スライド部９８により底板９６をシュート９９とは反対方向にスライドさせることで、硬貨をシュート９９を介して硬貨収納庫２０に収納する。その後、制御部１０５は、硬貨一時貯留部１８を待機位置に戻して硬貨入出金装置部１１における硬貨入金処理を終了する。
【００９４】
「紙幣収納案内処理」
制御部１０５は、紙幣一時貯留部１２４に紙幣があれば、開閉スライド部１７２によって一対の底板１７１を離間方向にスライドさせることで、一対の底板１７１上に一時貯留していた紙幣を囲壁部１７０の下部開口から落下させてフラッパ１８２上に載置させる。次に、制御部１０５は、プッシャ昇降部１７４によりプッシャ１７３を下降させ、プッシャ１７３により一対のフラッパ１８２上の紙幣を下方に押圧して、一対のフラッパ１８２を開き、紙幣を一対のフラッパ１８２より下側に移動させて載置板１８３上またはその上にすでに収納されている紙幣上に載置させることになり、その後、プッシャ昇降部１７４によりプッシャ１７３を待機位置まで上昇させる。すると、載置板１８３が図示略のスプリングの付勢力で紙幣を閉状態のフラッパ１８２との間で挟んで保持する。制御部１０５は、プッシャ１７３が待機位置に戻ると、紙幣入出金装置部１２における紙幣入金処理を終了する。
【００９５】
また、今回の一の取引での貨幣入金金額が、今回の一の取引で入力された伝票金額と上記した一の釣銭準備金仮払金額との加算値よりも大きければ、硬貨入出金装置部１１において上記した硬貨収納案内処理を行い、紙幣入出金装置部１２において上記した紙幣収納案内処理を行って、ＲＡＭ１０７に一時的に記憶させていた今回の入金処理の硬貨および紙幣の計数値、つまり金種別の硬貨出金収納部７０〜７５および硬貨一時貯留部１８のそれぞれへの硬貨の今回の入金処理での収納量および金種別のスタッカ１３８〜１４０および紙幣一時貯留部１２４のそれぞれへの紙幣の今回の入金処理での収納量を確定してこの一の取引の取引識別情報に関連付けてＲＡＭ１０７に記憶するとともに、このＲＡＭ１０７に記憶されている上記した一の釣銭準備金仮払金額を０にリセットする。さらに、貨幣入金金額から、伝票金額と釣銭準備金仮払金額との加算値を減算した差額分を釣銭として支払うために後述する差額出金処理を行う。
【００９６】
また、今回の一の取引での貨幣入金金額が、伝票金額と釣銭準備金仮払金額との加算値額よりも小さければ、制御部１０５は、硬貨入出金装置部１１においては硬貨返却案内処理を行い、紙幣入出金装置部１２においては紙幣返却案内処理を行う。
【００９７】
「硬貨返却案内処理」
制御部１０５は出金硬貨搬送駆動部７９を駆動してベルトコンベア７７を作動させ、硬貨出金収納部７０〜７５に入金された金額と同金額の入金された硬貨とは別の硬貨を硬貨出金収納部７０〜７５から出金計数センサ７０Ａ〜７５Ａで金種を識別し計数しつつ出金硬貨搬送駆動部７９およびソレノイド８０〜８５によってシュート部９０に繰り出させ、振分部９２で硬貨出金口１７に繰り出させるとともに、硬貨一時貯留部１８に硬貨がある場合、硬貨一時貯留部１８の壁スライド部９７により囲壁部９５を返却箱１９側にスライドさせ、底板スライド部９８により底板９６を返却箱１９とは反対方向にスライドさせることで、硬貨を返却箱１９に返却する。そして、返却に必要な枚数の硬貨が硬貨出金口１７に繰り出され貯留されたことが出金計数センサ８２の計数により検出され、硬貨一時貯留部１８に硬貨がある場合、その硬貨が返却箱１９に返却されるのに十分な時間が経過すると、制御部１０５は、硬貨返却案内処理が終了したと判定し、ＲＡＭ１０７に一時的に記憶させていた今回の入金処理の硬貨の計数値を消去して、硬貨入金処理を終了する。これに対し、操作者は、硬貨出金口１７および返却箱１９に返却された硬貨を取り出すことになる。
【００９８】
「紙幣返却案内処理」
制御部１０５は、リジェクト紙幣搬送駆動部２０７および出金紙幣搬送駆動部２０６を駆動して、リジェクト紙幣搬送路１３５、出金紙幣搬送路１３６および繰出紙幣搬送路１５０〜１５２を作動させ、スタッカ１３８〜１４０に入金された金額と同金額の入金された紙幣とは別の紙幣をスタッカ１３８〜１４０から出金紙幣繰出部１３８ａ，１３９ａ，１４０ａによって出金紙幣搬送路１３６に繰り出させ、振分部１５４および振分部１５７で振り分けて紙幣出金口１２２に繰り出させるとともに、紙幣一時貯留部１２４の囲壁部１７０および一対の底板１７１を、機体から引き出し可能とする。これに対し、操作者は、紙幣出金口１２２および紙幣一時貯留部１２４から紙幣を取り出すことになる。なお、返却動作中に紙幣検出センサ１９６〜１９９でスタッカ１３８〜１４０から繰り出される紙幣の中に重送等の搬送異常券が検出されると、搬送異常券を振分部１５７で分岐紙幣搬送路１５８側に振り分けて紙幣リジェクト庫１５９に収納する。そして、返却に必要な枚数の紙幣が紙幣出金口１２２に繰り出され貯留されたことが紙幣検出センサ２０２の計数により検出され、紙幣一時貯留部１２４の囲壁部１７０および一対の底板１７１から紙幣が取り出されたことが検出されると、制御部１０５は、紙幣返却案内処理が終了したと判定し、ＲＡＭ１０７に一時的に記憶させていた今回の入金処理の紙幣の計数値を消去して、紙幣入金処理を終了する。これに対し、操作者は、紙幣出金口１２２に返却された紙幣を取り出すとともに、紙幣一時貯留部１２４から紙幣を取り出すことになる。
【００９９】
上記した入金取消処理をするか、入金確定処理をするかの問いに対して、操作者が、承認操作入力ではない入金取消処理の選択操作を操作部１０８に入力すると、制御部１０５は、硬貨入出金装置部１１について硬貨返却案内処理を行うとともに、紙幣入出金装置部１２について紙幣返却案内処理を行う。
【０１００】
〔差額出金処理〕
制御部１０５は、今回の一の取引で入金された貨幣入金金額と、今回の一の取引で入力された伝票金額と、上記した一の釣銭準備金仮払金額とに基づき、貨幣入金金額から、伝票金額と釣銭準備金仮払金額との加算値を減算して、所定の払出金額としての釣銭総金額を算出し、この釣銭総金額から硬貨出金分および紙幣出金分の釣銭金額を算出する。続いて、硬貨出金分の釣銭金額を最小枚数で構成する出金パターンを算出して設定し、紙幣出金分の釣銭金額を最小枚数で構成する出金パターンを算出して設定する。
【０１０１】
そして、本実施形態においては、このように、金種別の硬貨出金収納部７０〜７５およびスタッカ１３８〜１４０から貨幣を繰り出す繰出関連操作であって、後述する売上金回収操作以外の繰出関連操作である、差額出金処理を伴う上記した入金処理操作が入力されると、制御部１０５が、各取引識別情報に関連付けてＲＡＭ１０７に記憶されている金種別の硬貨出金収納部７０〜７５およびスタッカ１３８〜１４０の収納量および繰出量から、現在の硬貨出金収納部７０〜７５およびスタッカ１３８〜１４０のそれぞれの貨幣の収納枚数である金種別の在高値を算出する。そして、制御部１０５が、このように算出した金種別の硬貨出金収納部７０〜７５およびスタッカ１３８〜１４０のそれぞれの在高値から、上記した出金パターンを構成する金種別の貨幣の枚数である繰出指示値を、金種毎に減算して、上記した出金パターンで出金を行った場合の、硬貨出金収納部７０〜７５およびスタッカ１３８〜１４０のそれぞれの金種別の残存予定値を算出する。そして、制御部１０５は、このようにして算出した金種別の残存予定値と、ＲＯＭ１０６に記憶されている金種別の確保値とを、それぞれ金種毎に比較する。
【０１０２】
残存予定値が確保値を下回る金種がなければ、硬貨入出金装置部１１について、この硬貨分の出金パターンの硬貨を出金させるべく払出処理としての硬貨出金処理を行い、紙幣入出金装置部１２について、この紙幣分の出金パターンの紙幣を出金させるべく払出処理としての紙幣出金処理を行った後、ＲＡＭ１０７に一時的に記憶させていた今回の硬貨出金処理および紙幣出金処理での計数値、つまり金種別の硬貨出金収納部７０〜７５のそれぞれからの硬貨の今回の出金処理での繰出量つまり硬貨出金口１７への払出量と、金種別のスタッカ１３８〜１４０のそれぞれからの紙幣の今回の出金処理での繰出量および紙幣出金口１２２への払出量を確定して、この一の取引の取引識別情報に関連付けてＲＡＭ１０７に記憶する。なお、金種別のスタッカ１３８〜１４０については繰り出し時に紙幣を多重繰り出しすることがあるため、金種別のスタッカ１３８〜１４０の繰出量と紙幣出金口１２２への払出量とが相違する場合には、両方を記憶することになり、在り高には繰出量を反映させる。なお、その際に、金種別のスタッカ１３８〜１４０からの重送については、繰出枚数を重送として想定し得る最大枚数として計数する。
【０１０３】
「硬貨出金処理」
制御部１０５は、出金硬貨搬送駆動部７９を駆動して、ベルトコンベア７７を作動させ、設定された出金パターンで硬貨を出金させるように、出金計数センサ７０Ａ〜７５Ａで金種を識別し計数しつつ硬貨出金収納部７０〜７５の対応するものから硬貨を出金硬貨搬送駆動部７９およびソレノイド８０〜８５によってシュート部９０に繰り出させ、閉状態の振分部９２で硬貨出金口１７に案内する。そして、この出金パターンの釣銭硬貨が硬貨出金口１７に繰り出されたことが出金計数センサ７０Ａ〜７５Ａの計数により検出されると、制御部１０５は、硬貨出金処理が終了したと判定する。
【０１０４】
「紙幣出金処理」
制御部１０５は、リジェクト紙幣搬送駆動部２０７および出金紙幣搬送駆動部２０６を駆動して、リジェクト紙幣搬送路１３５、出金紙幣搬送路１３６および繰出紙幣搬送路１５０〜１５２を作動させ、設定された出金パターンで紙幣を出金させるように、紙幣検出センサ１９６〜１９８で計数しつつスタッカ１３８〜１４０の対応するものから紙幣を、出金紙幣繰出部１３８ａ〜１４０ａで、繰出紙幣搬送路１５０〜１５２の対応するものに繰り出させて、振分部１５４および振分部１５７で振り分けて、出金紙幣搬送路１３６およびリジェクト紙幣搬送路１３５によって紙幣出金口１２２に案内する。なお、出金動作中にセンサ１９７〜１９９で多重搬送等の搬送異常紙幣が検出されると、この搬送異常紙幣を振分部１５７で振り分けて紙幣リジェクト庫１５９に収納させる。そして、出金に必要な枚数の紙幣が紙幣出金口１２２に繰り出され貯留されたことが紙幣検出センサ２０２の計数により検出されると、制御部１０５は、紙幣出金処理が終了したと判定する。
【０１０５】
他方、上記した金種毎の比較の結果、残存予定値が確保値を下回る金種があれば、この金種については、出金パターンから除外することで、硬貨出金収納部７０〜７５およびスタッカ１３８〜１４０からの繰り出しを規制し、残存予定値が確保値を下回らない金種についてのみ、硬貨入出金装置部１１で払出処理として硬貨出金収納部７０〜７５からの硬貨出金処理を行い、紙幣入出金装置部１２で払出処理としてスタッカ１３８〜１４０からの紙幣出金処理を行った後、ＲＡＭ１０７に一時的に記憶させていた今回の硬貨出金処理および紙幣出金処理での計数値、つまり金種別の硬貨出金収納部７０〜７５のそれぞれからの硬貨の今回の出金処理での払出量と、金種別のスタッカ１３８〜１４０のそれぞれからの紙幣の今回の出金処理での繰出量および払出量を確定してこの一の取引の取引識別情報に関連付けてＲＡＭ１０７に記憶する。
【０１０６】
上記のように、許諾した一の担当者識別情報に関連して行われる、差額出金処理の、所定の払出金額の貨幣を、金種別の硬貨出金収納部７０〜７５から硬貨出金口１７に払い出す硬貨出金処理時および金種別のスタッカ１３８〜１４０から紙幣出金口１２２に払い出す紙幣出金処理時において、残存予定値が確保値を下回る金種であって、硬貨出金収納部７０〜７５およびスタッカ１３８〜１４０からの繰り出しが規制された貨幣があると、制御部１０５は、上記した所定の払出金額から、硬貨出金処理での硬貨出金口１７への払出金額および紙幣出金処理での紙幣出金口１２２への払出金額の加算値である実払出金額を減算して、規制により所定の払出金額に対して不足した払出不足金額を算出する。
【０１０７】
そして、今回の出金処理が差額出金処理によるものであるため、制御部１０５は、所定の払出金額のうちの今回の出金処理にて硬貨出金口１７および紙幣出金口１２２に払い出された実払出金額と、発生した払出不足金額と、この払出不足金額が精算要である旨とを、この一の担当者識別情報に関連付けてＲＡＭ１０７に記憶する。それとともに、制御部１０５は、繰り出し規制が発生し払出不足金額が発生した旨のアラーム表示と、この払出不足金額と、この払出不足金額を後で精算可能な旨と、所定の払出金額と、実払出金額とを、案内表示部１０９に表示させ、さらに、この払出不足金額とこれが発生した処理に関連する上記した一の担当者識別情報とをプリンタ１１０によって紙面に印字発行させる。なお、この場合の案内表示部１０９への表示例としては、「繰り出し規制が発生し、○○円の払い出し操作に対して、△△円の払出不足金が発生しました。確定分の××円の払出金のみを受け取って、残りの△△円の払出不足金は、次回以降ログインした際に精算を行って下さい。」等である。
【０１０８】
以上により、担当者は、案内表示部１０９の表示から、払出不足金額が発生したこと、その金額、これを後で精算可能なことを認識するとともに、プリンタ１１０によって自分の担当者識別情報および後で精算すべき払出不足金額が印字された用紙を持ち、確定分の金額のみを持って、その場を離れることができる。
【０１０９】
〔釣銭準備金仮払処理〕
担当者用の取引操作を許諾した条件下において、担当者用の取引操作の種別の選択に対して、操作部１０８に、金種別の硬貨出金収納部７０〜７５およびスタッカ１３８〜１４０から貨幣を繰り出す繰出関連操作であって、後述する売上金回収操作以外の繰出関連操作である釣銭準備金仮払処理を行う旨の選択操作である釣銭準備金仮払処理操作が入力されると、制御部１０５は、限度額内での釣銭準備金の総金額およびその出金パターンの操作部１０８への入力を促す表示を案内表示部１０９に表示させる。
【０１１０】
所定の払出金額としての釣銭準備金の総金額およびその出金パターンが入力され、釣銭準備金仮払実行操作が入力されると、制御部１０５は、差額出金処理時と同様に、現在の硬貨出金収納部７０〜７５およびスタッカ１３８〜１４０のそれぞれの貨幣の収納枚数である在高値を算出し、このように算出した金種別の在高値から、上記した出金パターンを構成する金種別の貨幣の枚数である繰出指示値を、金種毎に減算して、上記した出金パターンで出金を行った場合の、硬貨出金収納部７０〜７５およびスタッカ１３８〜１４０のそれぞれの金種別の残存予定値を算出する。そして、制御部１０５は、このようにして算出した金種別の残存予定値と、ＲＯＭ１０６に記憶されている金種別の確保値とを、それぞれ金種毎に比較する。
【０１１１】
残存予定値が確保値を下回る金種がなければ、硬貨入出金装置部１１について、この硬貨分の出金パターンの硬貨を出金させるべく払出処理としての硬貨出金処理を行い、紙幣入出金装置部１２について、この紙幣分の出金パターンの紙幣を出金させるべく払出処理としての紙幣出金処理を行った後、ＲＡＭ１０７に一時的に記憶させていた今回の硬貨出金処理および紙幣出金処理での計数値、つまり金種別の硬貨出金収納部７０〜７５のそれぞれからの硬貨の今回の出金処理での繰出量つまり硬貨出金口１７への払出量と、金種別のスタッカ１３８〜１４０のそれぞれからの紙幣の今回の出金処理での繰出量および紙幣出金口１２２への払出量を確定して、この一の取引の取引識別情報に関連付けてＲＡＭ１０７に記憶する。この場合も、多重繰り出しがあって、金種別のスタッカ１３８〜１４０の繰出量と紙幣出金口１２２への払出量とが相違する場合には、両方を記憶することになり、在り高には繰出量を反映させる。なお、その際に、金種別のスタッカ１３８〜１４０からの重送については、繰出枚数を重送として想定し得る最大枚数として計数する。
【０１１２】
他方、残存予定値が確保値を下回る金種があれば、この金種については、出金パターンから排除することで、硬貨出金収納部７０〜７５およびスタッカ１３８〜１４０からの繰り出しを規制し、残存予定値が確保値を下回らない金種についてのみ、硬貨入出金装置部１１で払出処理として硬貨出金収納部７０〜７５からの硬貨出金処理を行い、紙幣入出金装置部１２で払出処理としてスタッカ１３８〜１４０からの紙幣出金処理を行った後、ＲＡＭ１０７に一時的に記憶させていた今回の硬貨出金処理および紙幣出金処理での計数値、つまり金種別の硬貨出金収納部７０〜７５のそれぞれからの硬貨の今回の出金処理での払出量と、金種別のスタッカ１３８〜１４０のそれぞれからの紙幣の今回の出金処理での繰出量および払出量を確定してこの一の取引の取引識別情報に関連付けてＲＡＭ１０７に記憶する。
【０１１３】
上記のように、許諾した一の担当者識別情報に関連して行われる、釣銭準備金仮払処理の、所定の払出金額の貨幣を、金種別の硬貨出金収納部７０〜７５から硬貨出金口１７に払い出す硬貨出金処理時および金種別のスタッカ１３８〜１４０から紙幣出金口１２２に払い出す紙幣出金処理時において、残存予定値が確保値を下回る金種であって、硬貨出金収納部７０〜７５およびスタッカ１３８〜１４０からの繰り出しが規制された貨幣があると、制御部１０５は、上記した所定の払出金額から、硬貨出金処理での払出金額および紙幣出金処理での払出金額の加算値である実払出金額を減算して、規制により所定の払出金額に対して不足した払出不足金額を算出する。
【０１１４】
そして、今回の出金処理が釣銭準備金仮払処理によるものであるため、制御部１０５は、所定の払出金額のうちの今回の出金処理にて硬貨出金口１７および紙幣出金口１２２に払い出された実払出金額と、発生した払出不足金額と、この払出不足金額が精算不要である旨とを、この一の担当者識別情報に関連付けてＲＡＭ１０７に記憶する。それとともに、制御部１０５は、繰り出し規制が発生し払出不足金額が発生した旨のアラーム表示と、この払出不足金額と、所定の払出金額と、実払出金額とを、案内表示部１０９に表示させる。なお、この場合の案内表示部１０９への表示例としては、「繰り出し規制が発生し、○○円の払い出し操作に対して、△△円の払出不足金が発生しました。確定分の××円の払出金のみを受け取って下さい。」等である。
【０１１５】
以上により、担当者は、案内表示部１０９の表示から、払出不足金額が発生したこと、その金額、結果として釣銭準備金として仮払いされた釣銭準備金仮払金額を認識し、確定分の釣銭準備金仮払金額のみを受け取って、その場を離れることができる。
【０１１６】
〔両替処理〕
担当者用の取引操作の種別の選択に対して、操作部１０８に、両替処理を行う旨の選択入力である両替処理操作が行われると、制御部１０５は、この一の取引の両替元金の金額およびこの両替元金の金額に対して可能な両替パターンの選択を促す表示を行い、これらが入力されると両替元金を構成する硬貨および紙幣の硬貨入金口１５および紙幣入金口１２１への投入を促す表示を案内表示部１０９に表示させる。硬貨入金口１５に硬貨が投入され、紙幣入金口１２１に紙幣が投入された状態で、操作部１０８に、両替操作が入力されると、制御部１０５は、硬貨入出金装置部１１については硬貨入金処理の硬貨入金案内処理を開始することになり、紙幣入出金装置部１２については紙幣入金処理の紙幣入金案内処理を開始することになる。
【０１１７】
そして、硬貨入金案内処理および紙幣入金案内処理が共に終了したと判定すると、制御部１０５は、案内表示部１０９に今回の一の取引での硬貨入金案内処理における硬貨識別部４４の計数結果と、今回の一の取引での紙幣入金案内処理の紙幣識別部１３２の計数結果とを表示させるとともに、これらの合計値が両替元金の金額と一致するか否かを判断し、一致しなければ、硬貨返却案内処理および紙幣返却案内処理を行う。一致すれば、その後の処理を促す表示を行う。すなわち、両替取消処理をするか、両替確定処理をするかを問う。
【０１１８】
上記した両替取消処理をするか、両替確定処理をするかの問いに対して、操作者が、承認操作入力である両替確定処理の選択操作を操作部１０８に入力すると、制御部１０５は、硬貨入出金装置部１１において硬貨収納案内処理を行い、紙幣入出金装置部１２において紙幣収納案内処理を行って、ＲＡＭ１０７に一時的に記憶させていた今回の両替処理の両替元金を構成する硬貨および紙幣の計数値、つまり金種別の硬貨出金収納部７０〜７５および硬貨一時貯留部１８のそれぞれへの両替元金を構成する硬貨の今回の処理での収納量および金種別のスタッカ１３８〜１４０および紙幣一時貯留部１２４のそれぞれへの両替元金を構成する紙幣の今回の処理での収納量を確定してこの一の取引の取引識別情報に関連付けてＲＡＭ１０７に記憶する。
【０１１９】
続いて、制御部１０５が、各取引識別情報に関連付けてＲＡＭ１０７に記憶されている金種別の硬貨出金収納部７０〜７５およびスタッカ１３８〜１４０の収納量および繰出量から、現在の硬貨出金収納部７０〜７５およびスタッカ１３８〜１４０のそれぞれの貨幣の収納枚数である在高値を算出する。そして、制御部１０５が、このように算出した金種別の硬貨出金収納部７０〜７５およびスタッカ１３８〜１４０のそれぞれの在高値から、上記した両替パターンを構成する金種別の貨幣の枚数である繰出指示値を、金種毎に減算して、上記した両替パターンで出金を行った場合の、硬貨出金収納部７０〜７５およびスタッカ１３８〜１４０のそれぞれの金種別の残存予定値を算出する。そして、制御部１０５は、このようにして算出した金種別の残存予定値と、ＲＯＭ１０６に記憶されている金種別の確保値とを、それぞれ金種毎に比較する。
【０１２０】
残存予定値が確保値を下回る金種がなければ、硬貨入出金装置部１１について、この硬貨分の両替パターンの硬貨を出金させるべく払出処理としての硬貨出金処理を行い、紙幣入出金装置部１２について、この紙幣分の両替パターンの紙幣を出金させるべく払出処理としての紙幣出金処理を行った後、ＲＡＭ１０７に一時的に記憶させていた今回の硬貨出金処理および紙幣出金処理での計数値、つまり金種別の硬貨出金収納部７０〜７５のそれぞれからの硬貨の今回の出金処理での繰出量つまり硬貨出金口１７への払出量と、金種別のスタッカ１３８〜１４０のそれぞれからの紙幣の今回の出金処理での繰出量および紙幣出金口１２２への払出量を確定してこの一の取引の取引識別情報に関連付けてＲＡＭ１０７に記憶する。この場合も、多重繰り出しがあって、金種別のスタッカ１３８〜１４０の繰出量と紙幣出金口１２２への払出量とが相違する場合には、両方を記憶することになり、在り高には繰出量を反映させる。なお、その際に、金種別のスタッカ１３８〜１４０からの重送については、繰出枚数を重送として想定し得る最大枚数として計数する。
【０１２１】
残存予定値が確保値を下回る金種がある場合は、制御部１０５は、硬貨出金収納部７０〜７５およびスタッカ１３８〜１４０からのすべてについて貨幣の繰り出しを規制することになり、硬貨入出金装置部１１について硬貨返却案内処理を行うとともに、紙幣入出金装置部１２について紙幣返却案内処理を行う。
【０１２２】
このように、許諾した一の担当者識別情報に関連して行われる、両替処理時の、所定の払出金額の貨幣を、金種別の硬貨出金収納部７０〜７５から硬貨出金口１７に払い出す硬貨出金処理時および金種別のスタッカ１３８〜１４０から紙幣出金口１２２に払い出す紙幣出金処理時において、残存予定値が確保値を下回る金種があって、硬貨出金収納部７０〜７５およびスタッカ１３８〜１４０からの繰り出しが規制されると、制御部１０５は、繰り出し規制が発生した旨のアラーム表示を、案内表示部１０９に表示させる。
【０１２３】
また、上記した両替取消処理をするか、両替確定処理をするかの問いに対して、操作者が、承認操作入力ではない両替取消処理の選択操作を操作部１０８に入力した場合とについて、制御部１０５は、硬貨入出金装置部１１について硬貨返却案内処理を行うとともに、紙幣入出金装置部１２について紙幣返却案内処理を行う。
【０１２４】
〔払出不足金精算処理〕
硬貨出金収納部７０〜７５およびスタッカ１３８〜１４０への貨幣の別途の追加処理や、他の担当者による入金処理等によって、硬貨出金収納部７０〜７５およびスタッカ１３８〜１４０の貨幣不足が解消された状態にあるとき、上記のように、担当者用の取引操作を許諾した条件下において、制御部１０５は、操作部１０８に入力された一の担当者識別情報に関連付けて、精算要の払出不足金額がＲＡＭ１０７に記憶されているか否かを確認する。そして、この確認結果から、制御部１０５は、この一の担当者識別情報に関連付けて、精算要の払出不足金額がＲＡＭ１０７に記憶されていた場合、案内表示部１０９に、入金処理、釣銭準備金仮払処理、両替処理、払出不足金精算処理および払出不足金集計処理からなる、担当者用の取引操作の種別を表示させ、これらの選択を操作部１０８に受け付ける状態となる。このとき、案内表示部１０９への取引操作の種別の表示のうち、払出不足金精算処理については、払出不足金額の精算対象者である旨の案内を含んで表示を行う。
【０１２５】
担当者用の取引操作の種別の選択に対して、操作部１０８に、払出不足金精算処理を行う旨、つまり精算要の払出不足金額の精算を行う旨の入力を受け付けると、制御部１０５は、払出不足金精算処理を行う。つまり、この一の担当者識別情報に関連付けてＲＡＭ１０７に記憶されている、精算要の払出不足金額を集計して、この集計した精算要の払出不足金額を精算する。具体的に、制御部１０５は、集計した精算要の払出不足金額について、硬貨分の不足金額を最小枚数で構成する出金パターンを算出して設定し、紙幣分の不足金額を最小枚数で構成する出金パターンを算出して設定する。そして、制御部１０５は、硬貨入出金装置部１１について、上記の硬貨分の出金パターンの硬貨を硬貨出金口１７に出金させるべく払出処理としての硬貨出金処理を行い、紙幣入出金装置部１２について、上記の紙幣分の出金パターンの紙幣を紙幣出金口１２２に出金させるべく払出処理としての紙幣出金処理を行った後、今回の硬貨出金処理および紙幣出金処理での計数値をこの一の取引の取引識別情報に関連付けてＲＡＭ１０７に記憶するとともに、一の担当者識別情報に関連付けてＲＡＭ１０７に記憶されていた、すべての精算要の払出不足金額を、精算済かつ精算不要として、この一の担当者識別情報に関連付けてＲＡＭ１０７に記憶する。
【０１２６】
他方、入金処理、釣銭準備金仮払処理、両替処理、払出不足金精算処理および払出不足金集計処理のうち、払出不足金精算処理以外の処理が操作部１０８に選択入力された場合（言い換えれば、操作部１０８に精算要の払出不足金額の精算を行わない旨の入力を受け付けた場合）、他の選択された、入金処理、釣銭準備金仮払処理、両替処理および払出不足金集計処理のいずれかを行う。
【０１２７】
〔払出不足金個別集計処理〕
担当者用の取引操作を許諾した条件下において、担当者用の取引操作の種別の選択に対して、操作部１０８に、払出不足金個別集計処理を行う旨の選択が行われると、制御部１０５は、入力された一の担当者識別情報に関連してＲＡＭ１０７に記憶されている払出不足金額を集計する集計処理を行う。つまり、制御部１０５は、精算要の払出不足金額と精算済（精算不要）の払出不足金額とを、日時情報を含む取引識別情報別に並べるとともに、これらに精算要の払出不足金額の合計値を並べて、集計結果として、案内表示部１０９に表示させる。このようにして、制御部１０５は、担当者識別情報が入力されると、入力された担当者識別情報に関連する払出不足金の集計結果を照会可能とする。なお、制御部１０５は、操作部１０８への操作で、この表示をプリンタ１１０で用紙に印字させることになる。
【０１２８】
〔払出不足金全体集計処理〕
管理者用の取引操作を許諾した条件下において、管理者用の取引操作の種別の選択に対して、操作部１０８に、払出不足金全体集計処理を行う旨の選択が行われると、制御部１０５は、全担当者識別情報に関連してＲＡＭ１０７に記憶されている払出不足金額を集計する集計処理を行う。つまり、制御部１０５は、精算要の払出不足金額と、精算済（精算不要）の払出不足金額とを、日時情報を含む取引識別情報別に並べるとともに、これらに精算要の払出不足金額の合計値および精算済の払出不足金額の合計値を並べたものを、さらに、担当者識別情報別に並べて、集計結果として、案内表示部１０９に表示させる。このようにして、制御部１０５は、管理者識別情報が入力されると、全ての担当者識別情報に関連する払出不足金の集計結果を照会可能とする。なお、制御部１０５は、操作部１０８への操作で、この表示をプリンタ１１０で用紙に印字させることになる。
【０１２９】
〔売上金収納処理〕
管理者用の取引操作を許諾した条件下において、管理者用の取引操作の種別の選択の操作入力に対して、操作部１０８に、売上金収納処理を行う旨の売上金回収操作が入力された場合と、回収者用の取引操作を許諾した条件下において、操作部１０８に、回収者用の取引操作の操作入力である売上金収納処理を行う旨の売上金回収操作が入力された場合とについて、制御部１０５は、前回の硬貨収納庫２０および紙幣収納庫１２５の機外回収時にリセットされ、その後、再び累計された入金処理の伝票金額（つまり売上金）の累計値を算出するとともに、前回の硬貨収納庫２０および紙幣収納庫１２５の機外回収時（空の硬貨収納庫２０および紙幣収納庫１２５への交換時）にいずれもリセットされ、その後、計数された硬貨収納庫２０内の硬貨の在り高および紙幣収納庫１２５内の紙幣の在り高とを算出する。そして、制御部１０５は、硬貨収納庫２０内の硬貨の在り高と紙幣収納庫１２５内の紙幣の在り高との加算値を、伝票金額の累計値から減算し、不足金額を算出する。この不足金額がある場合、制御部１０５は、不足金額を補うべく、金種別の硬貨出金収納部７０〜７５から硬貨一時貯留部１８を介して硬貨収納庫２０に、売上金に対する不足分の硬貨を収納する硬貨補充処理と、金種別のスタッカ１３８〜１４０から紙幣一時貯留部１２４を介して紙幣収納庫１２５に、売上金に対する不足分の紙幣を収納する紙幣補充処理とを行って、硬貨収納庫２０および紙幣収納庫１２５内の貨幣を売上金として確定する。
【０１３０】
「硬貨補充処理」
制御部１０５は、不足金額のうちの硬貨分を最小枚数で構成する補充パターンを算出する。そして、この補充パターンで硬貨を補充するように、出金計数センサ７０Ａ〜７５Ａで金種を識別し計数しつつ硬貨出金収納部７０〜７５の対応するものから硬貨を出金硬貨搬送駆動部７９およびソレノイド８０〜８５によってシュート部９０に繰り出させ、開状態の振分部９２で硬貨一時貯留部１８に案内する。そして、この補充パターンの硬貨が硬貨一時貯留部１８に繰り出されたことが出金計数センサ７０Ａ〜７５Ａの計数により検出されると、制御部１０５は、硬貨一時貯留部１８の壁スライド部９７により囲壁部９５をシュート９９側にスライドさせ、底板スライド部９８により底板９６をシュート９９とは反対方向にスライドさせることで、硬貨をシュート９９を介して硬貨収納庫２０に収納する。
【０１３１】
「紙幣補充処理」
制御部１０５は、不足金額のうちの紙幣分を最小枚数で構成する補充パターンを算出する。そして、この補充パターンで紙幣を補充するように、紙幣検出センサ１９６〜１９８で計数しつつスタッカ１３８〜１４０の対応するものから紙幣を、出金紙幣繰出部１３８ａ〜１４０ａで、繰出紙幣搬送路１５０〜１５２の対応するものに繰り出させて、振分部１５４で振り分けて、紙幣一時貯留部１２４に案内する。なお、出金動作中にセンサ１９７〜１９９で多重搬送等の搬送異常紙幣が検出されると、この搬送異常紙幣を振分部１５７で振り分けて紙幣リジェクト庫１５９に収納させる。そして、出金に必要な金種および枚数の紙幣が紙幣一時貯留部１２４に繰り出され貯留されたことがセンサ１９６〜２００の計数により検出されると、制御部１０５は、開閉スライド部１７２によって紙幣一時貯留部１２４の紙幣をフラッパ１８２上に載置させ、プッシャ昇降部１７４によりプッシャ１７３を下降させて、プッシャ１７３により紙幣を紙幣収納庫１２５に収納する。
【０１３２】
これら硬貨補充処理および紙幣補充処理によって、硬貨収納庫２０および紙幣収納庫１２５の在り高が、伝票金額の累計値つまり売上金額と一致することになり、硬貨収納庫２０および紙幣収納庫１２５がそのまま回収されることで、売上金が回収されることになる。この売上金収納処理において、本実施形態では、金種別の硬貨出金収納部７０〜７５および金種別のスタッカ１３８〜１４０には、スタッカ１３８から補充できる最大額面紙幣による金額部分を下回る金額部分を補充できるだけの貨幣が残存しているため、硬貨収納庫２０および紙幣収納庫１２５の在り高が、伝票金額の累計値つまり売上金額と一致しない状況が生じることを抑制できることになる。
【０１３３】
以上に述べた本実施形態の貨幣処理機１０によれば、操作部１０８に売上金回収操作が入力されると、制御部１０５が、金種別の硬貨出金収納部７０〜７５およびスタッカ１３８〜１４０から硬貨一時貯留部１８および紙幣一時貯留部１２４を介して硬貨収納庫２０および紙幣収納庫１２５へ売上金に対する不足分の貨幣を収納して、硬貨収納庫２０および紙幣収納庫１２５内の貨幣を売上金として確定することになるが、この売上金回収操作以外の、金種別の硬貨出金収納部７０〜７５およびスタッカ１３８〜１４０から貨幣を繰り出す繰出関連操作が操作部１０８に入力されると、制御部１０５は、金種別の硬貨出金収納部７０〜７５およびスタッカ１３８〜１４０のそれぞれの在高値から金種別の繰出指示値を減算した金種別の残存予定値と、最大額面貨幣の額面金額から最小額面貨幣の額面金額を減算した金額を金種別の硬貨出金収納部７０〜７５およびスタッカ１３８〜１４０から繰り出させるのに必要な所定の金種別の確保値とを比較し、残存予定値が確保値を下回る金種がある場合には、当該下回る金種の貨幣の繰り出しを規制する。よって、金種別の硬貨出金収納部７０〜７５およびスタッカ１３８〜１４０に金種別の確保値を確保できるため、売上金の回収時に、売上金相当分を硬貨収納庫２０および紙幣収納庫１２５に収納することができない状況が生じるのを抑制できる。したがって、売上金の回収時に売上金相当分を硬貨収納庫２０および紙幣収納庫１２５に確実に収納することができる。
【０１３４】
また、制御部１０５が、硬貨識別部４４で正常と識別された硬貨を、硬貨を返却可能に一時貯留するとともに一時貯留した硬貨を硬貨収納庫２０に収納可能な硬貨一時貯留部１８に開閉選別部５０で振り分けることができるため、硬貨識別部４４で正常と識別された硬貨のうち金種別の硬貨出金収納部７０〜７５に収納しない非環流のオーバーフロー硬貨を別途の硬貨一時貯留部１８に良好に貯留させることができる。したがって、オーバーフロー硬貨が発生することによる停止等を抑制することができる。
【０１３５】
また、制御部１０５が、紙幣識別部１３２で正常と識別された紙幣を、紙幣を返却可能に一時貯留するとともに一時貯留した紙幣を紙幣収納庫１２５に収納可能な紙幣一時貯留部１２４に振分部１３４，１５４で振り分けることができるため、紙幣識別部１３２で正常と識別された紙幣のうち金種別のスタッカ１３８〜１４０に収納しないオーバーフロー紙幣等の非環流の紙幣を別途の紙幣一時貯留部１２４に貯留させることができる。したがって、オーバーフロー紙幣が発生することによる停止等を抑制することができる。
【０１３６】
また、最大額面貨幣の額面金額が１万円であり、最小額面貨幣の額面金額が１円である場合に、金種別の確保値は、５千円貨幣が１枚、千円貨幣が４枚、５００円貨幣が１枚、１００円貨幣が４枚、５０円貨幣が１枚、１０円貨幣が４枚、５円貨幣が１枚および１円貨幣が４枚からなり、または、千円貨幣が９枚、５００円貨幣が１枚、１００円貨幣が４枚、５０円貨幣が１枚、１０円貨幣が４枚、５円貨幣が１枚および１円貨幣が４枚からなるため、金種別の確保値分の貨幣の確保が容易となる。
【０１３７】
また、制御部１０５が硬貨出金収納部７０〜７５およびスタッカ１３８〜１４０からの貨幣の繰り出しを規制した場合に、その旨を、案内表示部１０９が報知するため、ジャム等の繰り出し異常ではなく、繰り出しを規制したことを操作者に知らせることができる。
【０１３８】
また、一の担当者識別情報に関連して所定の払出金額の硬貨を金種別の硬貨出金収納部７０〜７５から硬貨出金口１７に、所定の払出金額の紙幣をスタッカ１３８〜１４０から紙幣出金口１２２に、それぞれ払い出す払出処理時に、制御部１０５が硬貨出金収納部７０〜７５およびスタッカ１３８〜１４０からの繰り出しを規制することで、所定の払出金額に対して、払出不足金額が発生した場合に、制御部１０５が、ＲＡＭ１０７に、この払出不足金額を前記一の担当者識別情報に関連付けて記憶することになる。よって、ＲＡＭ１０７から読み出すことによって、対応する担当者識別情報の担当者に、払出不足金額を後で精算可能となるため、担当者は、硬貨出金収納部７０〜７５およびスタッカ１３８〜１４０への貨幣の補充等を待たずに、硬貨出金口１７および紙幣出金口１２２に払い出された貨幣を受け取って、その場を離れることができる。したがって、担当者は、次の作業に移ることができ、作業効率が向上する。また、払出不足金額が発生した場合に案内表示部１０９が報知を行うため、担当者は、貨幣処理機１０側で払出不足金額の発生を認識していることを確認できるため、安心してその場を離れることができる。
【０１３９】
また、払出不足金額が発生した場合に、この払出不足金額を後で精算可能な旨を案内表示部１０９が報知することになるため、担当者が、不慣れであっても、安心してその場を離れることができる。そして、硬貨出金収納部７０〜７５およびスタッカ１３８〜１４０の貨幣不足が解消された状態で、担当者識別情報を入力すると、制御部１０５が、入力された担当者識別情報に関連付けて払出不足金額がＲＡＭ１０７に記憶されているか否かを確認することになり、払出不足金額がＲＡＭ１０７に記憶されていた場合、案内表示部１０９が払出不足金額の精算対象者である旨の案内を行って、操作部１０８が、払出不足金額の精算を行うか否かの入力を受け付けることになる。そして、操作部１０８が払出不足金額の精算を行う旨の入力を受け付けると、制御部１０５が払出不足金額を精算する。よって、適正に、対応する担当者識別情報の担当者に、払出不足金額を精算することができる。
【０１４０】
また、払出不足金額が発生した場合、払出不足金額とこれに関連する担当者識別情報とをプリンタ１１０が印字発行するため、担当者は、より一層安心してその場を離れることができる。
【０１４１】
また、制御部１０５が、個々の担当者識別情報毎に払出不足金額を集計するため、個々の担当者識別情報毎の払出不足金額の集計値を照会可能となる。
【０１４２】
また、制御部１０５が、担当者識別情報が入力されると当該担当者識別情報に関連する払出不足金額の集計結果を照会可能とし、管理者識別情報が入力されると全ての担当者識別情報に関連する払出不足金額の集計結果を照会可能とするため、担当者レベルおよび管理者レベルでの照会内容を切り換えることができる。
【０１４３】
なお、払出不足金精算処理においては、上記のように専用処理で払出不足金を出金する以外にも、入金処理時に払出不足金の金額分を入金金額から相殺するようにしたり、差額出金処理時に払出不足金の金額分を釣銭総金額に加算して出金したり、釣銭準備金仮払処理時に払出不足金の金額分を釣銭準備金に加えて出金するようにしても良い。
【０１４４】
また、上記実施形態では、担当者用の取引操作を許諾した条件下において、制御部１０５は、一の担当者識別情報に関連付けて、精算要の払出不足金額がＲＡＭ１０７に記憶されていた場合、案内表示部１０９に、入金処理、釣銭準備金仮払処理、両替処理、払出不足金精算処理および払出不足金集計処理からなる、担当者用の取引操作の種別を表示させ、これらの選択を操作部１０８に受け付ける状態となるようにしたが、入金処理、釣銭準備金仮払処理、両替処理および払出不足金集計処理の取引操作の種別を表示させずに、まず、払出不足金精算処理を行うか否かの選択のみを案内し、払出不足金精算処理を行う旨の選択が入力されると、払出不足金精算処理を行った後に、入金処理、釣銭準備金仮払処理、両替処理および払出不足金集計処理の選択操作を受け付ける状態とし、払出不足金精算処理を行わない旨の選択が入力されると、次に、入金処理、釣銭準備金仮払処理、両替処理および払出不足金集計処理の選択操作を受け付ける状態にするようにしても良い。
【０１４５】
また、上記差額出金処理および釣銭準備金仮払処理において、硬貨出金収納部７０〜７５およびスタッカ１３８〜１４０のうち、残存予定値が確保値を下回る金種がある場合には、下回る金種のみについて貨幣の繰り出しを規制するようにしたが、残存予定値が確保値を下回る金種がある場合に、両替処理のように硬貨出金収納部７０〜７５およびスタッカ１３８〜１４０のすべてについて貨幣の繰り出しを規制するようにしても良い。
【０１４６】
また、残存予定値が確保値を下回る金種がある場合に常に貨幣の繰り出しを規制するのではなく、例えば、売上金回収の直後から所定時間は、硬貨出金収納部７０〜７５およびスタッカ１３８〜１４０に残存予定値が確保値を下回る金種があっても、貨幣の繰り出しを規制しないようにすることもできる。言い換えれば、売上金回収の見込み時刻の所定時間前までは、残存予定値が確保値を下回る金種があっても、貨幣の繰り出しを規制せず、売上金回収の見込み時刻の所定時間前から、残存予定値が確保値を下回る金種があると、貨幣の繰り出しを規制するようにしても良い。
【符号の説明】
【０１４７】
１０  貨幣処理機
１５  硬貨入金口（投入手段）
１７  硬貨出金口（払出手段）
１８  硬貨一時貯留部（一時貯留手段）
２０  硬貨収納庫（収納手段）
４４  硬貨識別部（入金識別手段）
５０   開閉選別部（第２の振分手段）
５３〜５８  選別孔（振分手段）
７０〜７５  硬貨出金収納部（環流手段）
１０５  制御部（売上金確定手段，繰出規制手段，振分制御手段，許諾手段，参照手段，精算手段，集計手段，照会手段）
１０６  ＲＯＭ（確保値記憶手段）
１０７  ＲＡＭ（払出不足金額記憶手段）
１０８  操作部（操作手段，確認手段）
１０９  案内表示部（規制報知手段，払出不足報知手段，案内手段）
１１０  プリンタ（発行手段）
１２１  紙幣入金口（投入手段）
１２２  紙幣出金口（払出手段）
１２４  紙幣一時貯留部（一時貯留手段）
１２５  紙幣収納庫（収納手段）
１３２  紙幣識別部（入金識別手段）
１３４，１５４  振分部（第２の振分手段）
１３８〜１４０  スタッカ（環流手段）
１４２，１４４  振分部（振分手段）
【図１】
0005386413.tif 000002
【図２】
0005386413.tif 000003
【図３】
0005386413.tif 000004
【図４】
0005386413.tif 000005
【図５】
0005386413.tif 000006
【図６】
0005386413.tif 000007